(57)【特許請求の範囲】
【請求項１】
データ伝送を行なう複数の伝送装置を備えたネットワーク内に複数の監視装置を設け、各監視装置によりそれぞれの監視対象範囲内の伝送装置の運用状態を監視するネットワーク監視システムにおける監視装置において、
種々の監視対象範囲に応じた監視画面データを保持する監視画面データ保持手段と、
監視対象範囲内の伝送装置の運用状態を管理する運用状態管理部と、
ネットワーク内の全伝送装置から通知される監視情報を記憶する監視情報格納手段と、
所定の監視対象範囲を指定する手段と、
指定された監視対象範囲に応じた監視画面データに基づいて監視画面を表示すると共に、運用状態管理部により管理されている該監視対象範囲内の伝送装置の運用状態を監視画面上に表示する表示手段、
を備え、
監視対象範囲外の伝送装置から障害発生を示す監視情報が通知された時、前記運用状態管理部は該監視情報を前記監視情報格納手段に格納し、前記表示手段は該監視対象範囲内の伝送装置の運用状態を監視画面上に表示すると共に、該監視対象範囲外の伝送装置の運用状態を前記監視対象範囲の監視画面上の所定エリアに集約的に表示する、
ことを特徴とする監視装置。
【請求項２】
データ伝送を行なう複数の伝送装置を備えたネットワーク内に複数の監視装置を設け、各監視装置によりそれぞれの監視対象範囲内の伝送装置の運用状態を監視するネットワーク監視システムにおける監視装置において、
種々の監視対象範囲に応じた監視画面データを保持する監視画面データ保持手段と、
監視対象範囲内の伝送装置の運用状態を管理する運用状態管理部と、
ネットワーク内の全伝送装置から通知される監視情報を記憶する監視情報格納手段と、
監視対象範囲内の伝送装置に障害が発生した時に、どの監視対象範囲の監視画面を表示するかを指定するための監視画面運用情報を保持する監視画面運用情報保持手段と、
運用状態管理部により管理されている監視対象範囲内の伝送装置の運用状態を監視画面上に表示すると共に、障害発生検出時に、該障害に応じた監視画面データに基づいて監視画面を表示し、かつ、運用状態管理部により管理されている監視対象範囲内の伝送装置の運用状態を該監視画面上に表示する表示手段、
を備え、
監視対象範囲外の伝送装置から障害発生を示す監視情報が通知された時、前記運用状態管理部は該監視情報を前記監視情報格納手段に格納し、前記表示手段は該監視対象範囲内の伝送装置の運用状態を監視画面上に表示すると共に、該監視対象範囲外の伝送装置の運用状態を前記監視対象範囲の監視画面上の所定エリアに集約的に表示する、
ことを特徴とする監視装置。
【請求項３】
データ伝送を行なう複数の伝送装置を備えたネットワーク内に複数の監視装置を設け、各監視装置によりそれぞれの監視対象範囲内の伝送装置の運用状態を監視するネットワーク監視システムにおける監視装置において、
種々の監視対象範囲に応じた監視画面データを保持する監視画面データ保持手段と、
監視対象範囲内の伝送装置の運用状態を管理する運用状態管理部と、
ネットワーク内の全伝送装置から通知される監視情報を記憶する監視情報格納手段と、
指定時刻に所定の監視対象範囲の監視画面を表示するための監視画面運用情報を保持する監視画面運用情報保持手段と、
指定時刻に、該指定時刻に応じた監視対象範囲の監視画面を表示すると共に、運用状態管理部により管理されている監視対象範囲内の伝送装置の運用状態を該監視画面上に表示する表示手段、
を備え、
監視対象範囲外の伝送装置から障害発生を示す監視情報が通知された時、前記運用状態管理部は該監視情報を前記監視情報格納手段に格納し、前記表示手段は該監視対象範囲内の伝送装置の運用状態を監視画面上に表示すると共に、該監視対象範囲外の伝送装置の運用状態を前記監視対象範囲の監視画面上の所定エリアに集約的に表示する、
ことを特徴とする監視装置。
【発明の詳細な説明】
【０００１】
【発明の属する技術分野】
本発明は、複数の伝送装置、通信回線及び複数の監視装置とから構成されるネットワークにおける監視装置の負荷分散処理システム及び監視対象範囲を変更できる監視装置に関する。
近年は、ネットワーク規模が大きくなり、ネットワークを複数拠点で監視するケースが増加している。しかし、各監視装置がネットワーク内の全ての伝送装置に対して同様な監視処理を実施しているため、無駄な処理が発生し、各監視装置での処理負荷が増大している。このため、ネットワークを複数拠点から監視する場合、各監視装置が効率的にネットワーク全体の運用状態を監視できる負荷分散処理システムが要望されてきている。又、必要に応じて監視対象範囲を変更できる監視システムも要望されている。
【０００２】
【従来の技術】
従来、大規模なネットワークを監視する場合、以下に示すような２通りのシステムが用いられる。すなわち、
複数の監視装置を設置し、各監視装置でそれぞれネットワーク全体の伝送装置を監視する。・・・第１の従来システム
ネットワークを分割してサブネットワーク化し、各サブネットワーク毎にサブ監視装置を設置し、更にサブ監視装置を監視するメイン監視装置を設置してネットワーク全体を監視する。・・・第２の従来システム
【０００３】
図４３は第１の従来システムの構成概念図である。図において、１はネットワークで、データ伝送を行なう複数の伝送装置２（図中黒丸●で示す）とこれら伝送装置２間を接続する通信回線３とで構成されている。４はネットワーク１内の運用状態を監視する監視装置で、複数（ｎ個）設けられている。このように構成されたシステムにおいて、各監視装置４はネットワーク１全体の伝送装置２の運用状態を監視している。
【０００４】
図４４は第２の従来システムの構成概念図である。図４３と同一のものは、同一の符号を付して示す。この従来システムは、前記第２の従来システムに該当している。ネットワーク１は、複数のサブネットワーク１０に分割され、各サブネットワーク１０毎にサブ監視装置５が設けられている。各サブネットワーク１０に含まれる伝送装置２及び通信回線３の数は任意である。６は、各サブ監視装置５の動作状態を監視するメイン監視装置である。このように構成されたシステムにおいて、各サブ監視装置５は、自監視装置配下のサブネットワーク１０内の全伝送装置２の運用状態を監視している。一方、メイン監視装置６は、全てのサブ監視装置５を監視しており、これによりネットワーク１全体の運用状態の監視を実施している。
【０００５】
【発明が解決しようとする課題】
前記した第１の従来システムでは、各監視装置４が監視対象ネットワーク１内の全伝送装置２の運用状態を監視しているため負荷が大きく、またネットワーク内トラフィックも増加し、しかも、ネットワーク１内の全伝送装置２に対する同一の監視処理が各監視装置４において発生し、その分無駄が生じている。又、この第１の従来システムでは、ネットワーク内の伝送装置２の台数が増加するのに比例して、各監視装置における監視処理負荷およびネットワーク内のトラフィックがますます増大する。
前記第２の従来システムでは、ネットワーク全体を監視できるのは、メイン監視装置６のみである。このため、複数拠点からネットワーク全体を監視する場合、サブ監視装置の他に、メイン監視装置を複数台設置する必要がある。
【０００６】
又、以上の従来システムにおいて、各監視装置の監視対象範囲は固定されており、監視対象範囲を変更するには、監視装置内における監視画面データをその都度人為的に更新する作業、あるいは、監視画面データの入れ替えをその都度行う作業が必要であり、迅速な監視対象範囲の変更ができない。このため、任意の監視装置が障害によりダウンした場合等において、該障害が発生した監視装置の監視対象範囲内の伝送装置の運用状態を他の監視装置で監視する場合、すなわち、監視対象範囲を変更する場合、迅速な監視対象範囲の変更ができず、運用効率が著しく低下する。
【０００７】
以上より、本発明の目的は、各監視装置における処理負荷を軽減することができ、しかも、各監視装置がネットワーク全体の運用状態を認識することができる監視装置の負荷分散処理システムを提供することである。
本発明の別の目的は、簡単に、監視装置の監視対象範囲を変更できる監視装置を提供することである。
本発明の別の目的は、オペレータ操作で、あるいは、伝送装置の障害発生により、あるいは、指定時刻に自動的に監視対象範囲を変更してネットワークにおける伝送装置の運用状態を監視できる監視装置を提供することである。
【０００８】
【課題を解決するための手段】
上記課題は本発明によれば、監視対象範囲外の伝送装置から障害発生を示す監視情報が通知された時、運用状態管理部は該監視情報を監視情報格納手段に格納し、表示手段は該監視対象範囲内の伝送装置の運用状態を監視画面上に表示すると共に、該監視対象範囲外の伝送装置の運用状態を監視対象範囲の監視画面上の所定エリアに集約的に表示することにより達成される。
【０００９】
【発明の実施の形態】
・発明の概略
(a)第1の発明
図１は第１発明の原理説明図である。
１はデータ伝送を行なう複数の伝送装置、通信回線を備えたネットワーク、１０ａ〜１０ｎはネットワークを複数に分割してなるサブネットワーク、７ａ〜７ｎは各サブネットワークに対応して設けられた１台の監視装置、８ａ〜８ｎは各監視装置と該監視装置配下のサブネットワーク内の伝送装置間を接続する通信回線（監視回線）、２０ａ〜２０ｎは各監視装置間でサブネットワークの運用状態を通信する通信手段（公衆回線）である。各サブネットワークにおいて、２ａ〜２ｎは伝送装置、３ａ〜３ｂは通信回線である。
各監視装置７ａ〜７ｎは配下のサブネットワーク１０ａ〜１０ｎ内の伝送装置２ａ〜２ｎの運用状態を監視し、定期的に他の監視装置に対して配下のサブネットワークの運用状態を通知する。この場合、各監視装置７ａ〜７ｎは公衆回線２０ａ〜２０ｎを介して、あるいは、ネットワーク内の通信回線３ａ〜３ｎ，８ａ〜８ｎを介して配下のサブネットワークの運用状態を通知する。・・・第１の解決手段
【００１０】
各監視装置７ａ〜７ｎは配下のサブネットワーク１０ａ〜１０ｎ内の伝送装置２ａ〜２ｎの運用状態を監視し、監視対象である伝送装置２ａ〜２ｎの運用状態に何らかの変化があった場合、他の監視装置に対して配下のサブネットワークの運用状態を通知する。この場合、各監視装置７ａ〜７ｎは公衆回線２０ａ〜２０ｎを介して、あるいは、ネットワーク内の通信回線３ａ〜３ｎ，８ａ〜８ｎを介して配下のサブネットワークの運用状態を通知する・・・第２の解決手段
【００１１】
各監視装置７ａ〜７ｎは、他監視装置に対して他監視装置配下のサブネットワーク内の伝送装置の運用状態を定期的に問い合わせてネットワークの運用状態を収集する。この場合、各監視装置７ａ〜７ｎは公衆回線２０ａ〜２０ｎを介して、あるいは、ネットワーク内の通信回線３ａ〜３ｎ，８ａ〜８ｎを介して問い合わせ情報を送信し、これら回線を介してサブネットワークの運用状態情報を受信する。・・・第３の解決手段
【００１２】
各監視装置７ａ〜７ｎは配下のサブネットワーク１０ａ〜１０ｎ内の伝送装置２ａ〜２ｎの運用状態を監視し、監視対象である伝送装置の運用状態に何らかの変化があった場合、他の監視装置に対して該他の監視装置配下のサブネットワーク内の伝送装置の運用状態を問い合わせてネットワークの運用状態を収集する。この場合、各監視装置７ａ〜７ｎは公衆回線２０ａ〜２０ｎを介して、あるいは、ネットワーク内の通信回線３ａ〜３ｎ，８ａ〜８ｎを介して問い合わせ情報を送信し、これら回線を介して他のサブネットワークの運用状態情報を受信する。・・・第４の解決手段
以上、第１〜第４の解決手段によれば、各監視装置における処理負荷を軽減することができ、しかも、各監視装置はネットワーク全体の運用状態を認識することができる。
【００１３】
監視装置７ａ〜７ｎのいずれか（例えば、監視装置７ｂ）が動作を停止した場合、隣接する監視装置７ａが停止した監視装置配下のサブネットワーク１０ｂ内の伝送装置２ｂの運用状態も併せて監視し、定期的に他の監視装置７ｎに対して収集した配下のサブネットワーク１０ａ，１０ｂの運用状態を通知する。この場合、監視装置７ａは公衆回線２０ｎを介して、あるいは、ネットワーク内の通信回線３ｂ〜３ｎ，８ｂ〜８ｎを介して配下のサブネットワークの運用状態を通知する。・・・第５の解決手段
【００１４】
監視装置７ａ〜７ｎのいずれか（例えば、監視装置７ｂ）が動作を停止した場合、隣接する監視装置７ａが停止した監視装置配下のサブネットワーク１０ｂ内の伝送装置２ｂの運用状態も併せて監視し、監視対象である伝送装置の運用状態に何らかの変化があった場合、他の監視装置７ｎに対して他監視装置配下のサブネットワークの運用状態を問い合わせてネットワーク全体の運用状態を収集する。この場合、監視装置７ａは公衆回線２０ｎを介して、あるいは、ネットワーク内の通信回線３ｂ〜３ｎ，８ｂ〜８ｎを介して問い合わせ情報を送信し、これら回線を介して他のサブネットワークの運用状態情報を受信する。・・・第６の解決手段
以上第５〜第６の解決手段によれば、各監視装置における処理負荷を軽減することができ、しかも、各監視装置はネットワーク全体の運用状態を把握することができ、更には、任意の監視装置に障害が発生しても隣接する監視装置が該障害監視装置の役割を代行するため、正常各監視装置はネットワーク全体の運用状態を認識することができる。
【００１５】
（ｂ）第２発明
図２は第２発明の原理説明図である。
１はデータ伝送を行なう複数の伝送装置、通信回線を備えたネットワーク、２は伝送装置、３は通信回線、７は監視装置、８は各監視装置とネットワーク１内の伝送装置２間を接続する通信回線（監視回線）、９ａ〜９ｃは監視対象範囲である。監視装置７において、７１は種々の監視対象範囲９ａ〜９ｃに応じた監視画面データを保持する監視画面データ保持部、７２は所定の監視対象範囲を指定する監視範囲指定部、７３は指定された監視対象範囲に応じた監視画面データに基づいて監視画面の表示制御を行う監視画面表示部、７４はディスプレイ装置、７５は監視対象範囲内の伝送装置の運用状態を管理する運用状態管理部、７６はネットワーク内の伝送装置から通知される監視情報を記憶する監視情報格納部、７７は伝送装置に障害が発生した時に、どの監視対象範囲の監視画面を表示するかを指定するための監視画面運用情報を保持する監視画面運用情報保持、７８は指定時刻に所定の監視対象範囲の監視画面を表示するための監視画面運用情報を保持する監視画面運用情報保持部である。
【００１６】
データ伝送を行なう複数の伝送装置２を備えたネットワーク１に複数の監視装置７を設け、各監視装置によりそれぞれの監視対象範囲内の伝送装置の運用状態を監視する。各監視装置７の監視画面保持部７１は種々の監視対象範囲に応じた監視画面データを保持しており、監視範囲指定部７２より所定の監視対象範囲がオペレータ操作で指定されると、監視画面表示部７３は指定された監視対象範囲に応じた監視画面データに基づいて監視画面をディスプレイ装置７４に表示する。又、運用状態管理部７５は監視対象範囲内の伝送装置の運用状態を管理し、監視画面表示部７３は運用状態管理部７５により管理されている監視対象範囲内の伝送装置の運用状態を監視画面上に表示する。
【００１７】
この場合、運用状態管理部７５は、▲１▼監視対象範囲外の伝送装置から通知される監視情報を廃棄して監視対象範囲内の伝送装置のみの運用状態を管理する。▲２▼あるいは、運用状態管理部７５は、監視対象範囲内の伝送装置の運用状態を管理すると共に、ネットワークの全伝送装置から通知される監視情報を監視情報格納部７６に格納して、全伝送装置の運用状態を保持する。▲３▼あるいは、運用状態管理部７５は、監視対象範囲内の伝送装置に限定することなく伝送装置の運用状態を管理し、監視画面表示部７３は運用状態管理部により管理されている監視対象範囲内の伝送装置の運用状態を監視画面上に表示すると共に、監視対象範囲外の伝送装置の運用状態（例えば障害発生装置名）を監視画面上の所定エリアに集約的に表示する。▲４▼あるいは、運用状態管理部７５は、監視対象範囲内の伝送装置の運用状態を管理し、監視画面表示部７３は運用状態管理部７５により管理されている監視対象範囲内の伝送装置の運用状態を監視画面上に表示し、運用状態管理部７５は監視対象範囲外の伝送装置の障害発生を検出した時、監視画面表示部７３にネットワーク全体を監視対象範囲とする監視画面の表示を指示し、監視画面表示部７３は指示された監視対象範囲に応じた監視画面データに基づいてネットワーク全体を監視対象範囲とする監視画面を表示すると共に、各伝送装置の運用状態を監視画面上に表示する。
以上により、オペレータ操作または自動処理により簡単に監視装置の監視対象範囲を変更して該監視対象範囲内の伝送装置の監視画面を表示することができる。・・・第１の解決手段
【００１８】
データ伝送を行なう複数の伝送装置２を備えたネットワーク１に複数の監視装置７を設け、各監視装置７によりそれぞれの監視対象範囲内の伝送装置の運用状態を監視する。各監視装置７の監視画面保持部７１は種々の監視対象範囲に応じた監視画面データを保持し、又、監視画面運用情報保持部７７は、伝送装置に障害が発生した時に、どの監視対象範囲の監視画面を表示するかを指定するための監視画面運用情報を保持する。通常、監視画面表示部７３は、オペレータにより指定された監視画面をディスプレイ装置７４に表示しているが、障害発生検出時は該障害に応じた監視対象範囲の監視画面を表示する。又、運用状態管理部７５は監視対象範囲内の伝送装置の運用状態を管理し、監視画面表示部７３は運用状態管理部７５により管理されている監視対象範囲内の伝送装置の運用状態を監視画面上に表示する。この場合、第１の解決手段と同様に前記▲１▼〜▲４▼の手段を講じることができる。
以上により、伝送装置に障害が発生した時、監視対象範囲を自動的に該障害に応じた別の監視対象範囲に変更し、該別の監視対象範囲の監視画面を表示することができる。・・・第２の解決手段
【００１９】
データ伝送を行なう複数の伝送装置２を備えたネットワーク１に複数の監視装置７を設け、各監視装置７によりそれぞれの監視対象範囲内の伝送装置の運用状態を監視する。各監視装置７の監視画面保持部７１は種々の監視対象範囲に応じた監視画面データを保持し、又、監視画面運用情報保持部７８は、指定時刻に指定監視対象範囲の監視画面を表示するための監視画面運用情報を保持する。通常、監視画面表示部７３は、オペレータにより指定された監視画面をディスプレイ装置７４に表示しているが、指定時刻になると、該指定時刻に応じた監視対象範囲の監視画面をディスプレイ装置７４に表示する。又、運用状態管理部７５は監視対象範囲内の伝送装置の運用状態を管理し、監視画面表示部７３は該運用状態管理部７５により管理されている監視対象範囲内の伝送装置の運用状態を監視画面上に表示する。この場合、第１の解決手段と同様に前記▲１▼〜▲４▼の手段を講じることができる。
以上により、予め指定した時刻になると、監視対象範囲を自動的に該時刻に応じた別の監視対象範囲を変更し、該別の監視対象範囲の監視画面を表示することができる。・・・第３の解決手段
【００２０】
(Ａ)本発明の第１実施例
(a) 全体の構成と動作概略
(1)全体の構成
図３は本発明に係わる監視装置の負荷分散システムの全体構成図であり、データ伝送を行なう複数の伝送装置２と、これら複数の伝送装置２の運用状態を監視する監視装置７と、これら伝送装置２と監視装置７間を接続する通信回線（伝送路）３とを具備するネットワークを構成している。通信回線３は、伝送装置２相互を接続し、情報通信を行なうもので、例えば高速ディジタル回線である。図では、監視装置７は３台示しているが、少なくとも２台あれば任意の数であってよい。
【００２１】
ネットワークは、複数のサブネットワーク１０に分割され、各サブネットワーク１０に１台の監視装置７が配置されるようになっている。監視装置７は、それぞれ配下のサブネットワーク１０内の全伝送装置２の運用状態を監視し、他の監視装置からの情報によりネットワーク全体を監視する。８は監視装置７と対応するサブネットワーク内の伝送装置２間に設けられ、監視情報の通信を行なう監視回線であり、通信回線の一種（物理ケーブル）である。
各サブネットワーク１０内の伝送装置２の数と通信回線３の数は任意の数でよく、又、サブネットワーク１０の数と監視装置７の数も任意数であってよい。２０は、各監視装置７間を接続して、監視情報の通信を行なう公衆回線である。図中に示す通信回線３を識別する＃５１〜＃６２の通信回線識別番号と、監視回線８を識別する＃６３〜＃６５の監視回線番号と、公衆回線２０を識別する＃６６〜＃６８の識別番号は後述する実施例の説明で用いる。
【００２２】
▲２▼ 第１の監視動作の概略
各監視装置７は配下のサブネットワーク１０内の伝送装置２の運用状態を監視し、ネットワーク内の通信回線３，８あるいは公衆回線２０を経由して定期的に他の監視装置７に対して配下のサブネットワーク１０の運用状態を通知する。
▲３▼ 第２の監視動作の概略
各監視装置７は配下のサブネットワーク１０内の伝送装置２の運用状態を監視し、配下の伝送装置２の運用状態に何らかの変化があった場合、ネットワーク内の通信回線３，８あるいは公衆回線２０を経由して他の監視装置７に対して配下のサブネットワーク１０の運用状態を通知する。
【００２３】
▲４▼ 第３の監視動作の概略
各監視装置７は、他監視装置に対して他監視装置配下のサブネットワーク１０内の伝送装置２の運用状態を通信回線３，８あるいは公衆回線２０を経由して定期的に問い合わせ、これにより、ネットワーク全体の運用状態を収集、認識する。  ▲５▼ 第４の監視動作の概略
各監視装置７は、配下のサブネットワーク１０内の伝送装置２の運用状態を監視する。そして、配下の伝送装置２の運用状態に何らかの変化があった場合、ネットワーク内の通信回線３，８あるいは公衆回線２０を経由して他監視装置に対して他監視装置配下のサブネットワーク１０の運用状態を問い合わせてネットワーク全体の状態を収集、認識する。
【００２４】
▲６▼ 第５の監視動作の概略
各監視装置７のいずれかが動作を停止した場合、隣接する監視装置７が停止した監視装置配下のサブネットワーク１０内の伝送装置２の運用状態も併せて監視し、定期的に他の監視装置に対して自監視装置配下のサブネットワークの運用状態を通知する。この場合、監視装置７は、ネットワーク内の通信回線３，８あるいは公衆回線２０を経由して定期的に他の監視装置に対して自監視装置配下のサブネットワーク１０の運用状態を通知する。
▲７▼ 第６の監視動作の概略
各監視装置７のいずれかが動作を停止した場合、隣接する監視装置が停止した監視装置配下のサブネットワーク１０内の伝送装置２の運用状態も併せて監視する。そして、監視対象である伝送装置２の運用状態に何らかの変化があった場合、ネットワーク内の通信回線３あるいは公衆回線２０を経由して他の監視装置に対して該他監視装置配下のサブネットワーク１０の運用状態を問い合わせてネットワーク全体の状態を収集、認識する。
【００２５】
(b) 伝送装置の接続構成
図４は伝送装置２の接続構成図である。図３と同一部分には同一符号を付している。伝送装置２相互間は、高速ディジタル回線（例えば使用帯域は６４ｋｂｐｓ〜６．３Ｍｂｐｓ）である通信回線３で接続されている。伝送装置２内部は、高速ディジタル回線３と接続される部分に設けられた高速データの処理を行なう高速部２ａと、高速データから低速データへの変換を行ない、低速データの処理を行なう低速部２ｂと、高速部２ａに接続され、伝送装置２の総合制御を行なう制御部２ｃとにより構成されている。
低速部２ｂは、データ処理部２１と音声処理部２２により構成され、データ処理部２１は外部のホスト１１等と接続され、音声処理部２２は外部のＰＢＸ（構内交換機）１２と接続されている。ＰＢＸ１２には電話機やファクシミリ装置等の端末１３が接続されている。また、＃１の伝送装置２の制御部２ｃには、監視回線８を経由して監視装置７が接続され、＃２の伝送装置２のデータ処理部２１には、データ処理端末１４等が接続されている。
【００２６】
このように構成されたシステムにおけるコマンドＣＭＤ、レスポンスＲＳＰ及びレポートＲＰＴの通信は、以下のようにして行われる。ここで、コマンドＣＭＤとは、監視装置７から伝送装置２に対して送信される運用状態確認伝文であり、レスポンスＲＳＰは、伝送装置２から監視装置７に対して送信されるコマンドＣＭＤに対する状態確認応答伝文であり、レポートＲＰＴは、伝送装置２からネットワーク内の全監視装置７及び全伝送装置２宛てに通知する各種伝文（例えば状態変化伝文）である。レポートＲＰＴは同報通信であり、一方通行で、応答は不要である。
【００２７】
(b-1) 監視装置の動作
▲１▼伝送装置２宛のコマンドＣＭＤを生成して配下の伝送装置２に対して送信し、レスポンスＲＳＰ待ちの状態に移行する。
▲２▼配下の伝送装置２からレスポンスＲＳＰが通知された時点で、コマンドＣＭＤに関する処理を完了と見なす。
▲３▼定常状態で、配下の伝送装置２からレポートＲＰＴが通知された時点で、レポート内容からどの伝送装置２に関するレポートかを解析し、自監視装置内で管理している各伝送装置２に関する運用状態管理データを更新する。
【００２８】
(b-2) 伝送装置の動作
(1) 監視装置から処理コマンドＣＭＤを受信した場合:
▲１▼自分が接続されている監視装置７からコマンドＣＭＤを受信すれば、自分宛のコマンドＣＭＤであるか否かを判断する。
▲２▼自分宛のコマンドＣＭＤであれば、所定の処理を実施し、処理が完了した時点で監視装置７に対してレスポンスＲＳＰを送信する。
▲３▼ 上記▲２▼の動作と同時に、自分に接続されている全通信回線３に処理が完了した旨のレポートＲＰＴを送出する。
【００２９】
(2) 監視装置から他伝送装置宛のコマンドＣＭＤを受信した場合：
▲１▼自分が接続されている監視装置７からコマンドＣＭＤすれば、自分宛のコマンドであるか否かを判断する。
▲２▼自分宛のコマンドＣＭＤでなければ、該コマンドを自分に接続されている全通信回線に送出する。
(3) 隣接する伝送装置から自分宛のコマンドＣＭＤを受信した場合：
▲１▼隣接する伝送装置２からコマンドＣＭＤを受信すれば、該コマンドＣＭＤが自分宛のコマンドであるか否かを判断する。
▲２▼自分宛のコマンドＣＭＤであれば、所定の処理を実施し、処理が完了した時点で自伝送装置に接続されている全通信回線３にレスポンスＲＳＰを送出する。
▲３▼ 上記▲２▼の動作と同時に、自伝送装置に接続されている全通信回線３に処理が完了した旨のレポートＲＰＴを送出する。
【００３０】
(4) 隣接する伝送装置から他伝送装置宛の処理コマンドを受信した場合:
▲１▼隣接する伝送装置２からコマンドＣＭＤを受信すれば、自分宛のコマンドであるか否かを判断する。
▲２▼自分宛のコマンドＣＭＤでなければ、該コマンドＣＭＤを自伝送装置に接続されている全通信回線３に送出する。
【００３１】
(c) 監視装置
図５は監視装置７の構成図である。図において、３１は監視回線８又は公衆回線２０を経由して伝送装置２または他の監視装置７との間で伝文の送受信を行なう通信処理部、３２は該通信処理部３１と接続され、通信処理部３１より通知された伝文を解析し、その結果を出力する伝文処理部である。通信処理部３１から伝文処理部３２に通知される伝文は、レスポンスＲＳＰとレポートＲＰＴであり、伝文処理部３２から通信処理部３１に通知される伝文はコマンドＣＭＤとレーポートＲＰＴである。
３３は、伝文処理部３２と接続され、定期的に監視対象である配下の伝送装置２に対して状態確認伝文ＣＭＤを発行する定常監視部である。定常監視部３３から伝文処理部３２に対して状態確認伝文ＣＭＤが通知され、一方伝文処理部３２から定常監視部３３に対してレスポンスＲＳＰが通知される。３４は、通信処理部３１と接続され、監視回線８又は公衆回線２０のいずれを使用して通信を行なうかを選択する使用回線選択部である。
【００３２】
３６はネットワーク内の各伝送装置２の運用状態を表示手段に表示する表示制御部（ＨＭＩ部）、３７は表示手段としてのＣＲＴである。３５は伝文処理部３２より通知された状態確認応答伝文ＲＳＰ及び伝送装置２から通知された状態変化伝文ＲＰＴを基に、ネットワーク内の各伝送装置２の運用状態を管理し、その結果を表示制御部３６に通知する状態管理部である。
３５ａは状態管理部３５内に設けられた運用状態管理テーブルである。運用状態管理テーブル３５ａは図６に示すようにネットワーク内の全伝送装置２の運用状態を管理するテーブルであり、伝送装置＃１から伝送装置＃ｎまでの運用状態管理エリア３５ａ1から３５ａnが設けられ、伝文処理部３２から通知されるレスポンスＲＳＰ又はレポートＲＰＴを反映するようになっている。すなわち、各運用状態管理エリアには、各伝送装置より送られて来るレスポンスＲＳＰ又はレポートＲＰＴに基づいて、障害の有無（伝送路及び装置障害の有無）、バックアップの有無（伝送路、装置パッケージがバックアップされているか否か）、折り返し、自己診断等のテスト中か否か等の運用状態が記憶・管理されている。状態管理部３５は、このテーブル３５ａが更新されるタイミングで、ネットワーク監視画面（ＣＲＴ）３７の更新を行う。
【００３３】
以上のように構成された監視装置の動作を説明すれば、以下のとおりである。動作の説明の前に、伝文のフォーマットについて説明する。図７は各種伝文のフォーマット例を示す図で、ヘッダ部Ａとデータ部Ｂより構成されている。ヘッダ部Ａには以下の情報が格納される。
▲１▼伝送装置アドレス：コマンドＣＭＤの場合には宛先の伝送装置アドレス、レスポンスＲＳＰの場合には発行元の伝送装置のアドレス、レポートＲＰＴの場合には発行元の伝送装置のアドレス
▲２▼伝文種別        ：コマンドＣＭＤ，レスポンスＲＳＰ，レポートＲＰＴのいずれかであるかを示すコード
▲３▼伝文コード      ：コマンドＣＭＤ，レスポンスＲＳＰ，レポートＲＰＴのいずれかの場合において、処理内容を示すコード
▲４▼データ部サイズ  ：ヘッダ部Ａの後にデータ部Ｂが付随する場合、そのデータサイズ
データ部Ｂには、各種データ（伝送装置用システムデータや制御情報等）が格納される。
【００３４】
次に、図５に示す監視装置７の動作について説明する。
定常監視部３３は、定期的にかつ自律的に配下の伝送装置２に対して状態確認伝文ＣＭＤを発行する。実際には、伝送装置２のアドレスを付与して状態確認伝文ＣＭＤを作成し、伝文処理部３２に送信依頼する。この送信依頼を受けた伝文処理部３２は、通信処理部３１に対して送信要求を行なう。通信処理部３１は、自監視装置に接続された配下の伝送装置２に対して、使用回線選択部３４によって指示された回線を使用して該伝文を送信する。
状態確認伝文ＣＭＤを受信した伝送装置２から応答伝文ＲＳＰが送られて来ると、通信処理部３１はこの応答伝文ＲＳＰを受信し、伝文処理部３２に送信する。応答伝文ＲＳＰを受信した伝文処理部３２は、状態管理部３５に該伝文内容を通知する。該状態管理部３５は、この伝文内容を解析して前述した運用状態管理テーブル３５ａ内に記憶されている伝送装置２の運用状態を更新し、表示制御部３６に表示依頼する。表示制御部３６は、ＣＲＴ３７にその内容の表示を行なう。
【００３５】
一方、ネットワーク内の各伝送装置２から状態変化伝文ＲＰＴが通知された場合、通信処理部３１はこの伝文を受信し、伝文処理部３２に送信する。この状態変化伝文ＲＰＴを受信した伝文処理部３２は、状態管理部３５にこの伝文の内容を通知する。該状態管理部３５は、この伝文内容を解析して運用状態管理テーブル３５ａ内に記憶されているネットワーク内の伝送装置２の運用状態を更新し、表示制御部３６に表示依頼を行なう。依頼を受けた表示制御部３６はＣＲＴ３７にその内容の表示を行なう。
【００３６】
(d) 伝送装置の要部構成
図８は伝送装置２の要部構成図であり、図４の制御部２ｃの構成を示している。図において、４１は通信回線３を経由して接続される隣接伝送装置間で伝文送受信を行なう通信処理部、４２は該通信処理部４１から通知された伝文を解析し、解析結果を出力する伝文処理部である。通信処理部４１から伝文処理部４２へは、コマンドＣＭＤが通知され、伝文処理部４２から通信処理部４１へは、レスポンスＲＳＰとレポートＲＰＴが通知される。４３は監視装置７からの運用状態確認伝文ＣＭＤを伝文処理部４２から受信した時、自伝送装置の運用状態を状態応答確認伝文ＲＳＰとして伝文処理部４２に対して応答し、更に自伝送装置内での運用状態変化を検出した場合には、運用状態変化伝文ＲＰＴとして伝文処理部４２に応答する状態管理部である。
【００３７】
４４は監視装置７と接続され、該監視装置７から送信されたコマンドＣＭＤを伝文処理部４２に通知し、また伝文処理部４２から通知された監視装置宛の伝文ＲＳＰを該監視装置７に通知する監視装置通信処理部である。伝文処理４２はまた、状態管理部４３から通知される伝送装置２の運用状態変化伝文ＲＰＴ又は監視装置通信処理部４４から送信依頼された伝文ＣＭＤを通信処理部４１に送信依頼する。このように構成された伝送装置２の動作を説明すれば、以下のとおりである。
【００３８】
(d-1) 監視装置からの依頼で運用状態を応答する場合:
通信処理部４１は、監視装置７より送信された状態確認伝文ＣＭＤを受信すると、伝文処理部４２に通知する。この時、通信処理部４１に通知される監視装置７からのＣＭＤには２通りある。１つは、自伝送装置に直接接続される監視装置７から通知されるものと、自伝送装置に直接接続されない他の隣接監視装置７から通知される場合である。前者の場合には、状態確認伝文ＣＭＤは監視装置通信処理部４４を経由して通信処理部４１に通知され、後者の場合には隣接する伝送装置２から通信回線３を経由して通知される。
【００３９】
通信処理部４１から状態確認伝文ＣＭＤを受けると伝文処理部４２は、当該ＣＭＤが自伝装置宛ての伝文であるか否かを判定し、自伝送装置宛ての伝文であった場合には、状態管理部４３に通知し、自伝送装置宛ての伝文でなかった場合には、同伝文を棄却する。該伝文を受けた状態管理部４３は、自伝送装置の運用状態を監視装置７に応答すべく状態確認応答伝文ＲＳＰを作成して伝文処理部４２に入力する。伝文処理部４２は、自伝送装置が監視装置７に直接接続されていない場合には、通信処理部４１に対して送信依頼し、通信処理部４１は隣接の伝送装置２を介して該伝文ＲＳＰを監視装置７に送信する。又、伝文処理部４２は、自伝送装置が監視装置７に直接接続されている場合には、監視装置通信処理部４４に対して送信を依頼し、監視装置通信処理部４４は該伝文ＲＳＰを監視装置７に送信する。
【００４０】
(d-2) 監視装置に対して運用状態を自律的に通知する場合:
状態管理部４３は、自伝送装置の運用状態の変化を検出した場合、状態変化伝文ＲＰＴを監視装置７に通知すべく、該伝文を作成して伝文処理部４２に入力する。伝文処理部４２は、自伝送装置が監視装置７に直接接続されている場合には、監視装置通信処理部４４を経由して自伝送装置に直接接続される監視装置７に対して状態変化伝文ＲＰＴを送信するとともに、通信処理部４１に対して送信依頼し、通信処理部４１は隣接する伝送装置２に対して該伝文ＲＰＴを通知する。
一方、自伝送装置が監視装置７に直接接続されていない場合、伝文処理部４２は、通信処理部４１に対して送信依頼する。
【００４１】
(d-3) 他伝送装置からの伝文を中継する場合:
通信処理部４１は、他伝送装置２から送信された各種伝文を受信すると、伝文処理部４２に通知する。伝文処理部４２は、自伝送装置に監視装置７が接続されている場合には、監視装置通信処理部４４に同伝文を通知し、そうでない場合には通信回線３を経由して接続されている隣接伝送装置２に対して該伝文を送信すべく通信処理部４１に送信依頼する。通信処理部４１は、指定された隣接伝送装置２に対して該伝文を送信する。
【００４２】
(e) 第１実施例の各種動作説明
次に実際の監視動作を図面を参照して説明する。なお、以下の監視動作の説明では、前述した監視装置７と、伝送装置２内の制御部２ｃがそれぞれ図５に示す内部構成要素及び図８に示す内部構成要素相互間で有機的に結合してそれぞれの動作を実行するものである。
【００４３】
(e-1) 第１の監視動作説明
図９は本発明の第１の監視動作説明図である。以下の説明では、▲１▼監視装置７として監視装置＃１，監視装置＃２，監視装置＃３の３台の監視装置７があり、▲２▼サブネットワーク１０として、サブネットワーク＃１，サブネットワーク＃２，サブネットワーク＃３の３つのサブネットワークがあり、▲３▼サブネットワーク＃１を監視装置＃１が直接監視し、サブネットワーク＃２を監視装置＃２が直接監視し、サブネットワーク＃３を監視装置＃３が直接監視するものとする。▲４▼そして、これら各監視装置７と各サブネットワーク１０間に伝送される情報あるいは伝文を識別するために（Ｍ＋算用数字）で表わすことにする。
【００４４】
図９の実施例において、Ｍ１はサブネットワーク＃１内の伝送装置運用状態情報、Ｍ２はサブネットワーク＃２内の伝送装置運用状態情報、Ｍ３はサブネットワーク＃３内の伝送装置運用状態情報である。Ｍ４は監視装置＃１とサブネットワーク＃１内の伝送装置２との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。
監視装置＃１は、自己の運用状態管理テーブル３５ａから該当するデータ（配下のサブネットワークの運用状態情報Ｍ１）を読み出して監視装置＃２及び監視装置＃３に対して定期的に通知する。この通知を受信した監視装置＃２及び監視装置＃３は、サブネットワーク＃１配下の伝送装置２の運用状態を認識することができる。従って、各監視装置７は、配下の伝送装置２の運用状態と併せて、ネットワーク全体の伝送装置の運用状態を認識することができる。
【００４５】
また、監視装置＃１は、他監視装置７に対して配下の伝送装置の運用状態を定期的に通知するのみならず、配下の伝送装置２の運用状態に変化が発生した時点で、自己の運用状態管理テーブル３５ａから該当データ（配下のサブネットワークの運用状態情報Ｍ１）を読み出して監視装置＃２及び監視装置＃３に通知する。この通知を受信した監視装置＃２及び監視装置＃３は、サブネットワーク＃１配下の伝送装置２の運用状態を認識することができ、自監視装置配下の伝送装置２の運用状態情報と併せてネットワーク全体の装置運用状態を認識することができる。以上、監視装置＃１の場合を例にとって説明したが、他の監視装置＃２，監視装置＃３についても同様である。
【００４６】
尚、監視装置７は、配下のサブネットワーク１０内の各伝送装置の状態を以下のように収集する。すなわち、第１の収集方法は、配下のサブネットワーク１０内に設置されている全ての伝送装置２に対して、周期的に状態確認伝文ＣＭＤを送信し、伝送装置２から応答確認伝文ＲＳＰを受信することで、配下の伝送装置２の運用状態を収集する。第２の方法は、サブネットワーク１０内に設置されている各伝送装置２が、自伝送装置内に何らかの変化が発生した場合、ネットワーク内の通信回線３を経由して状態変化伝文ＲＰＴを監視装置７に通知するようにし、これにより配下の各伝送装置の運用状態を収集する。
以上、２種類の通信手段（定期的通信及び、状態変化時通信）により、各監視装置７は配下のサブネットワーク１０内の伝送装置２のみを監視しているにも拘らず、ネットワーク内の全伝送装置２の運用状態を認識することができる。
【００４７】
(e-2) 第２の監視動作説明
図１０は本発明の第２の監視動作説明図であり、図９と同一部分には、同一の符号を付している。図においては、Ｍ１はサブネットワーク＃１内の伝送装置の運用状態情報、Ｍ２はサブネットワーク＃２内の伝送装置の運用状態情報、Ｍ３はサブネットワーク＃３内の伝送装置の運用状態情報、Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。
【００４８】
監視装置＃１は、自己の運用状態管理テーブル３５ａから該当データ（運用状態情報Ｍ１）を読み出してネットワーク内の通信回線３を経由して監視装置＃２及び監視装置＃３に定期的に通知する。
実際には、図３の構成において、監視装置＃１は該運用状態情報Ｍ１を監視回線＃６３を経由して伝送装置＃１に通知する。伝送装置＃１は、通信回線＃５３を経由して伝送装置＃４に通知し、伝送装置＃４は通信回線＃５５を経由して伝送装置＃７に通知する。伝送装置＃７は監視回線＃６４を経由して監視装置＃２に通知すると共に、通信回線＃５７を経由して伝送装置＃１０に通知する。伝送装置＃１０は、通信回線＃５８を経由して伝送装置＃１３に通知し、伝送装置＃１３は監視回線＃６５を経由して監視装置＃３に通知する。
この通知を受信した監視装置＃２及び監視装置＃３は、監視装置＃１配下のサブネットワーク＃１の伝送装置２の運用状態を認識することができ、自監視装置配下の伝送装置２の運用状態と併せて、ネットワーク全体の伝送装置２の運用状態を認識することができる。このように、各監視装置７がネットワーク内の通信回線３，８を経由して定期的に伝送装置２の運用状態を通知しあうことにより、各監視装置７が全ネットワークの伝送装置２の運用状態を認識することができる。
【００４９】
また、監視装置＃１は、自監視装置配下のサブネットワーク＃１内の伝送装置２の運用状態に何らかの変化が発生した時点で、自己の運用状態管理テーブル３５ａから該当データ（運用状態情報Ｍ１）を読み出して通信回線３，８を経由して他の監視装置＃２，＃２に通知する。
この通知を受信した監視装置＃２及び監視装置＃３は、サブネットワーク＃１の伝送装置２の運用状態を認識することができ、自監視装置配下の伝送装置２の運用状態と併せて、ネットワーク全体の伝送装置２の運用状態を認識することができる。このように、各監視装置７がネットワーク内の通信回線３，８を経由して伝送装置２の運用状態を通知しあうことにより、各監視装置はあるサブネットワーク内の伝送装置２に何らかの変化が発生した時点における全ネットワークの伝送装置２の運用状態を認識することができる。
以上、監視装置＃１の場合を例にとって説明したが、他の監視装置＃２、監視装置＃３についても同様である。
【００５０】
(e-3) 第３の動作説明
図１１は本発明の第３の動作説明図である。図３，図９と同一のものは、同一の符号を付して示す。図において、Ｍ１はサブネットワーク＃１内の伝送装置の運用状態情報、Ｍ２はサブネットワーク＃２内の伝送装置の運用状態情報、Ｍ３はサブネットワーク＃３内の伝送装置の運用状態情報である。Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。
監視装置＃１は、自己の運用状態管理テーブル３５ａから該当データ（運用状態情報Ｍ１）を読み出して公衆回線２０を経由して監視装置＃２及び監視装置＃３に定期的に通知する。実際には、図３の構成において、監視装置＃１は公衆回線＃６６を経由して監視装置＃２に通知すると共に、公衆回線＃６８を経由して監視装置＃３に通知する。
【００５１】
また、監視装置＃１は、自監視装置配下のサブネットワーク＃１内の伝送装置２の運用状態に変化が発生した時点で、自己の運用状態管理テーブル３５ａから該当データ（運用状態情報Ｍ１）を読み出して公衆回線２０を経由して監視装置＃２及び監視装置＃３に通知する。
この通知を受信した監視装置＃２及び監視装置＃３は、監視装置＃１配下のサブネットワーク＃１内の伝送装置２の運用状態を認識することができ、自監視装置配下の伝送装置２の運用状態と併せて、ネットワーク全体の伝送装置２の運用状態を認識することができる。このように、各監視装置７が公衆回線２０を経由して定期的に、あるいは、運用状態変化時に、配下の伝送装置２の運用状態を通知しあうことにより、各監視装置７は全ネットワークの伝送装置２の運用状態を認識することができる。
以上、監視装置＃１の場合を例にとって説明したが、他の監視装置＃２、監視装置＃３についても同様である。
【００５２】
(e-4) 第４の動作説明
図１２は本発明の第４の動作説明図である。図９と同一のものは、同一の符号を付して示す。図において、Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。
Ｍ７は監視装置＃１から監視装置＃２に対するサブネットワーク＃２の運用状態確認伝文及び応答伝文、Ｍ８は監視装置＃１から監視装置３に対するサブネットワーク＃３の運用状態確認伝文及び応答伝文、Ｍ９は監視装置＃２から監視装置＃１に対するサブネットワーク＃１の運用状態確認伝文及び応答伝文Ｍ１０は監視装置＃２から監視装置＃３に対するサブネットワーク＃３の運用状態確認伝文及び応答伝文、Ｍ１１は監視装置＃３から監視装置＃１に対するサブネットワーク＃１の運用状態確認伝文及び応答伝文、Ｍ１２は監視装置＃３から監視装置＃２に対するサブネットワーク＃２の運用状態確認伝文及び応答伝文である。
【００５３】
監視装置＃１は、他監視装置＃２に対して、該他監視装置＃２配下のサブネットワーク＃２の伝送装置２の運用状態情報を、また他監視装置＃３に対して該他監視装置＃３配下のサブネットワーク＃３の伝送装置２の運用状態情報を定期的に問い合わせる。この問い合わせを受信した他監視装置＃２は、自己の運用状態管理テーブル３５ａから該当データ（サブネットワーク＃２の運用状態情報）を読み出して監視装置＃１に応答し、また他監視装置＃３は自己の運用状態管理テーブル３５ａから該当データ（サブネットワーク＃３の運用状態情報）を読み出して監視装置＃１に応答する。
この応答を受信した監視装置＃１は、自監視装置配下のサブネットワーク＃１の伝送装置２のみを監視しているにも拘らず、サブネットワーク＃２及びサブネットワーク＃３の伝送装置２の運用状態を認識することができ、自監視装置配下の伝送装置２の運用状態と併せてネットワーク全体の伝送装置２の運用状態を認識することができる。
【００５４】
また、監視装置＃１は、他監視装置７に対して他監視装置７の運用状態を定期的に問い合わせするのみならず、自監視装置配下のサブネットワーク＃１内の伝送装置２の運用状態に何らかの変化が発生した時点で、他監視装置＃２に対して該他監視装置配下のサブネットワーク＃２内の伝送装置２の運用状態情報を、また他監視装置＃３に対して該他監視装置＃３配下のサブネットワーク＃３内の伝送装置２の運用状態情報の問い合わせを実施する。この問い合わせを受信した監視装置＃２は、自己の運用状態管理テーブル３５ａから該当データ（サブネットワーク＃２の運用状態情報）を読み出し、また，他監視装置＃３は、自己の運用状態管理テーブル３５ａから該当データ（サブネットワーク＃３の運用状態情報）を読み出してそれぞれ監視装置＃１に応答する。
【００５５】
この応答を受信した監視装置＃１は、自監視装置配下のサブネットワーク＃１内の伝送装置２に何らかの変化が発生した時点におけるサブネットワーク＃２及びサブネットワーク＃３内のそれぞれの伝送装置２の運用状態を認識することができ、自監視装置配下のサブネットワーク＃１の伝送装置２の運用状態と併せて、ネットワーク全体の伝送装置２の運用状態を認識することができる。
以上、監視装置＃１の場合を例にとって説明したが、他の監視装置＃２，監視装置＃３の場合についても同様である。
【００５６】
(e-5) 第５の動作説明
図１３は本発明の第５の動作説明図である。図９と同一のものは、同一の符号を付して示す。図において、Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。Ｍ７は監視装置＃１から監視装置＃２に対するサブネットワーク＃２の運用状態確認伝文及び応答伝文、Ｍ８は監視装置＃１から監視装置＃３に対するサブネットワーク＃３の運用状態確認伝文及び応答伝文、Ｍ９は監視装置＃２から監視装置＃１に対するサブネットワーク＃１の運用状態確認伝文及び応答伝文、Ｍ１０は監視装置＃２から監視装置＃３に対するサブネットワーク＃３の運用状態確認伝文及び応答伝文、Ｍ１１は監視装置＃３から監視装置＃１に対するサブネットワーク＃１の運用状態確認伝文及び応答伝文、Ｍ１２は監視装置＃３から監視装置＃２に対するサブネットワーク＃２の運用状態確認伝文及び応答伝文である。
【００５７】
監視装置＃１は、監視装置＃２に対してサブネットワーク＃２内の伝送装置２の運用状態の問い合わせを、また監視装置＃３に対してサブネットワーク＃３内の伝送装置２の運用状態の問い合わせをネットワーク内の通信回線３を経由して定期的に実施する。
実際には図３の構成において、監視装置＃１は該問い合わせを監視回線＃６３を経由して伝送装置＃１に通知する。伝送装置＃１は通信回線＃５３を経由して伝送装置＃４に通知し、伝送装置＃４は通信回線＃５５を経由して伝送装置＃７に通知する。伝送装置＃７は監視回線＃６４を経由して監視装置＃２に通知すると共に、通信回線＃５７を経由して伝送装置＃１０に通知する。伝送装置＃１０は通信回線＃５８を経由して伝送装置＃１３に通知し、伝送装置＃１３は監視回線＃６５を経由して監視装置＃３に通知する。
【００５８】
該問い合わせを受信した監視装置＃２及び監視装置＃３は、自己の運用状態管理テーブル３５ａからそれぞれ該当データ（サブネットワーク＃２，＃３の運用状態情報）を読み出して監視装置＃１に応答する。尚、該応答は、問い合わせが送信された経路と同一経路を逆にたどり、監視装置＃１に通知される。
この応答を受信した監視装置＃１は、他監視装置の配下にあるサブネットワーク＃２及びサブネットワーク＃３内の伝送装置２の運用状態を認識することができ、自監視装置配下の伝送装置２の運用状態と併せてネットワーク全体の伝送装置２の運用状態を認識することができる。このように、各監視装置７がネットワーク内の通信回線３を経由して定期的に伝送装置２の運用状態を通知しあうことにより、各監視装置７が全ネットワークの伝送装置２の運用状態を認識することができる。
【００５９】
また、監視装置＃１は、配下のサブネットワーク＃１内の伝送装置２の運用状態に何らかの変化が発生した時点で、監視装置＃２に対してサブネットワーク＃２内の伝送装置２の運用状態の問い合わせを、監視装置＃３に対してサブネットワーク＃３内の伝送装置２の運用状態の問い合わせをネットワーク内の通信回線３を経由して実施する。問い合わせ経路は前記定期的問い合わせ経路と同じである。
該問い合わせを受信した監視装置＃２及び監視装置＃３は、自己の運用状態管理テーブル３５ａからそれぞれ該当データ（サブネットワーク＃２，＃３の運用状態情報）を読み出して監視装置＃１に送信する。この応答は、問い合わせ経路と同一経路を逆にたどって監視装置＃１に通知される。
【００６０】
前記応答を受信した監視装置＃１は、自監視装置配下のサブネットワーク＃１内の伝送装置２に何らかの変化が発生した時点における、他監視装置配下にあるサブネットワーク＃２及びサブネットワーク＃３内の伝送装置２の運用状態を認識することができ、自監視装置配下の伝送装置２の運用状態と併せてネットワーク全体の伝送装置２の運用状態を認識することができる。このように、各監視装置７がネットワーク内の通信回線３を経由して伝送装置２の運用状態を通知しあうことにより、あるサブネットワーク内の伝送装置２に何らかの変化が発生した時点における全ネットワークの伝送装置２の運用状態を認識することができる。以上、監視装置＃１の場合を例にとって説明したが、他の監視装置＃２、監視装置＃３の場合についても同様である。
【００６１】
(e-6) 第６の動作説明
図１４は本発明の第６の動作説明図である。図１１と同一部分には同一符号を付している。図において、Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。Ｍ７は監視装置＃１から監視装置＃２に対するサブネットワーク＃２の運用状態確認伝文及び応答伝文、Ｍ８は監視装置＃１から監視装置＃３に対するサブネットワーク＃３の運用状態確認伝文及び応答伝文、Ｍ９は監視装置＃２から監視装置＃１に対するサブネットワーク＃１の運用状態確認伝文及び応答伝文、Ｍ１０は監視装置＃２から監視装置＃３に対するサブネットワーク＃３の運用状態確認伝文及び応答伝文、Ｍ１１は監視装置＃３から監視装置＃１に対するサブネットワーク＃１の運用状態確認伝文及び応答伝文、Ｍ１２は監視装置＃３から監視装置＃２に対するサブネットワーク＃２の運用状態確認伝文及び応答伝文である。
【００６２】
監視装置＃１は、他監視装置＃２に対してサブネットワーク＃２内の伝送装置２の運用状態の問い合わせを、又、他監視装置＃３に対してサブネットワーク＃３内の伝送装置２の運用状態の問い合わせを、それぞれ公衆回線２０を経由して定期的に実施する。実際には、図３の構成において、監視装置＃１は公衆回線＃６６を経由して監視装置＃２を該問い合わせを通知し、また公衆回線＃６８を経由して監視装置＃３に該問い合わせを通知する。
該問い合わせを受信した監視装置＃２は、自己の運用状態管理テーブル３５ａから該当データ（サブネットワーク＃２の運用状態情報）を読み出して、を公衆回線＃６６を経由して監視装置＃１に応答する。同様に、公衆回線＃６８を経由して監視装置＃１からの問い合わせを受信した監視装置＃３は、自己の運用状態管理テーブル３５ａから該当データ（サブネットワーク＃３の運用状態情報）を読み出して公衆回線＃６８を経由して監視装置＃１に応答する。
【００６３】
これらの応答を受信した監視装置＃１は、他監視装置の配下にあるサブネットワーク＃２及びサブネットワーク＃３内の伝送装置２の運用状態を認識することができ、自監視装置配下のサブネットワーク＃１内の伝送装置２の運用状態と併せて、ネットワーク全体の伝送装置２の運用状態を認識することができる。このように、各監視装置７が公衆回線２０を経由して定期的に伝送装置２の運用状態を通知しあうことにより、各監視装置７が全ネットワークの伝送装置２の運用状態を認識することができる。
【００６４】
また、監視装置＃１は配下のサブネットワーク＃１内の伝送装置２の運用状態に何らかの変化が発生した時点で、他監視装置＃２に対してサブネットワーク＃２内の伝送装置２の運用状態情報の問い合わせを、又、他監視装置＃３に対してサブネットワーク＃３内の伝送装置２の運用状態情報の問い合わせを公衆回線２０を経由してそれぞれ実施する。該問い合わせを受信した監視装置＃２は、自己の運用状態管理テーブル３５ａから該当データ（サブネットワーク＃２の運用状態情報）を読み出して公衆回線＃６６を経由して監視装置＃１に応答する。同様に、公衆回線＃６８を経由して監視装置＃１からの問い合わせを受信した監視装置＃３は、自己の運用状態管理テーブル３５ａから該当データ（サブネットワーク＃３の運用状態情報）を読み出して公衆回線＃６８を経由して監視装置＃１に応答する。
【００６５】
これらの応答を受信した監視装置＃１は、配下の伝送装置２の運用状態変化発生時点において、他監視装置の配下にあるサブネットワーク＃２及びサブネットワーク＃３内の伝送装置２の運用状態を認識することができ、ネットワーク全体の伝送装置２の運用状態を認識することができる。このように、各監視装置７は公衆回線２０を経由して伝送装置２の運用状態を通知しあうことにより、あるサブネットワーク内の伝送装置２に何らかの変化が発生した時点におけるネットワークの全伝送装置２の運用状態を認識することができる。
以上、監視装置＃１の場合について説明したが、他の監視装置＃２，監視装置＃３の場合についても同様である。
【００６６】
(e-7) 第７の動作説明
図１５は本発明の第７の動作説明図であり、図９と同一部分には同一符号を付している。図において、Ｍ１はサブネットワーク＃１内の伝送装置２の運用状態情報、Ｍ２はサブネットワーク＃２内の伝送装置２の運用状態情報、Ｍ３はサブネットワーク＃３内の伝送装置２の運用状態情報である。Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。
【００６７】
監視装置＃２が障害発生等により動作を停止すると、監視装置＃１は、通信回線３又は公衆回線２０を介して他の監視装置７の動作状態が通知されているので、監視装置＃２が動作を停止したことを認識する。監視装置＃１は、監視装置＃２の動作停止を認識すると、動作中の他の監視装置７（ここでは監視装置＃３）に対して、監視装置＃２配下のサブネットワーク＃２の監視は自分が行なう旨の通知を出す。これにより、他の監視装置７からのバックアップが競合するのを防止することができる。
そして、監視装置＃１はサブネットワーク＃２を自己の監視対象に加え、サブネットワーク＃１及びサブネットワーク＃２の２つのサブネットワーク１０の監視を行う。監視装置＃１は一時的に負荷が重くなるが、サブネットワーク＃２の監視ができず、従ってネットワーク全体の運用状態を監視できなくなることを防止することができる。
【００６８】
監視装置＃１は、自己の運用状態管理テーブル３５ａから該当データ（サブネットワーク＃１の運用状態情報）を読み出して、監視装置＃３に定期的に通知する。この通知を受信した監視装置＃３は、監視装置＃１配下のサブネットワーク＃１及びサブネットワーク＃２内の伝送装置２の運用状態を認識することができ、自配下のサブネットワーク＃３内の伝送装置２の装置運用状態と併せてネットワーク全体の伝送装置２の運用状態を認識することができる。
又、監視装置＃１は配下のサブネットワーク＃１及びサブネットワーク＃２内の伝送装置２に何らかの変化が発生すると、この時点で他監視装置＃３に対して他監視装置＃３配下のサブネットワーク＃３の運用状態情報の問い合わせを実施する。この問い合わせを受信した監視装置＃３は、自己の運用状態管理テーブル３５ａから該当データ（サブネットワーク＃３の運用状態情報）を読み出して監視装置＃１に応答する。
【００６９】
この応答を受信した監視装置＃１は、配下のサブネットワーク＃１及びサブネットワーク＃２の伝送装置２の運用状態と併せて、他監視装置＃３配下のサブネットワーク＃３内の伝送装置２の運用状態を認識することができる。これにより、監視装置＃１は配下のサブネットワーク＃１及びサブネットワーク＃２内の伝送装置２に何らかの変化が発生した時点におけるネットワーク全体の伝送装置２の運用状態を認識することができる。
以上の説明では、監視装置＃２が動作を停止した場合について説明したが、他の監視装置＃１、監視装置＃３が動作を停止した場合についても同様である。
【００７０】
(e-8) 第８の動作
図１６は本発明の第８の動作説明図である。図１５と同一部分には同一符号を付している。図において、Ｍ１はサブネットワーク＃１内の伝送装置２の運用状態情報、Ｍ２はサブネットワーク＃２内の伝送装置２の運用状態情報、Ｍ３はサブネットワーク＃３内の伝送装置２の運用状態情報である。Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。
監視装置＃２が障害等により動作を停止すると、監視装置＃１はサブネットワーク＃２も自己の監視対象に加え、サブネットワーク＃１及びサブネットワーク＃２の監視を行なう。そして、監視装置＃１は自己の運用状態管理テーブル３５ａから該当データ（サブネットワーク＃１，＃２の運用状態情報）を読み出してネットワーク内の通信回線３を経由して監視装置＃３に定期的に通知する。
【００７１】
実際には、図３の構成において、監視装置＃１は同情報を監視回線＃６３を経由して伝送装置＃１に通知する。伝送装置＃１は通信回線＃５３を経由して伝送装置＃４に通知し、該伝送装置＃４は通信回線＃５５を経由して伝送装置＃７に通知する。伝送装置＃７は通信回線＃５７を経由して伝送装置＃１０に通知し、該伝送装置＃１０は通信回線＃５８を経由して伝送装置＃１３に通知する。伝送装置＃１３は、監視回線＃６５を経由して監視装置＃３に通知する。
この通知を受信した監視装置＃３は、他監視装置＃１配下のサブネットワーク＃１及びサブネットワーク＃２内の伝送装置２の運用状態を認識することができ、これにより自配下の伝送装置２の運用状態と併せて、ネットワーク全体の伝送装置２の運用状態を認識することができる。このように、各監視装置７がネットワーク内の通信回線３を経由して定期的に伝送装置２の運用状態を通知しあうことにより、任意の監視装置が動作を停止しても各監視装置７が全ネットワークの伝送装置２の運用状態を認識することができる。
【００７２】
又、監視装置＃１は配下のサブネットワーク＃１及びサブネットワーク＃２内の伝送装置２に運用状態の変化が発生した場合、他の監視装置＃３に対して他監視装置配下のサブネットワーク＃３内の伝送装置２の運用状態の問い合わせをネットワーク内の通信回線３を経由して実施する。尚、問い合わせ経路は定期的に行われる運用状態通知経路と同じになる。
この問い合わせを受信した監視装置＃３は、自己の運用状態管理テーブル３５ａから該当データ（サブネットワーク＃３の運用状態情報）を読み出して監視装置＃１に通知する。該応答は問い合わせ経路と同一の経路を逆にたどり、監視装置＃１に通知される。この応答を受信した監視装置＃１は、他監視装置＃３配下のサブネットワーク＃３内の伝送装置２の運用状態を認識することができ、これにより、自配下のサブネットワーク内の伝送装置２の運用状態変化時点におけるネットワーク全体の伝送装置の運用状態を認識することができる。
【００７３】
以上のように、各監視装置７は、ネットワーク内の通信回線３を経由して伝送装置２の運用状態を通知しあうことにより、任意の監視装置が障害により停止しても配下の伝送装置２の運用状態変化時点におけるネットワークの全体の運用状態を認識することができる。
以上、監視装置＃２が動作を停止した場合について説明したが、他の監視装置＃１，監視装置＃３が動作を停止した場合についても同様である。
【００７４】
(e-9) 第９動作説明
図１７は本発明の第９動作説明図である。図１５と同一部分には同一符号を付している。図において、Ｍ１はサブネットワーク＃１内の伝送装置２の運用状態情報、Ｍ２はサブネットワーク＃２内の伝送装置２の運用状態情報、Ｍ３はサブネットワーク＃３内の伝送装置２の運用状態情報である。Ｍ４は監視装置＃１とサブネットワーク＃１との間で送受する各種伝文（状態確認伝文ＣＭＤ／応答伝文ＲＳＰ／状態変化伝文ＲＰＴ）、Ｍ５は監視装置＃２とサブネットワーク＃２間で送受する各種伝文ＣＭＤ／ＲＳＰ／ＲＰＴ、Ｍ６は監視装置＃３とサブネットワーク＃３間で送受する各種伝文ＣＭＤ／ＲＳＰ／ＲＰＴである。
【００７５】
監視装置＃２が障害発生等により動作を停止した場合、監視装置＃１はそれまで監視装置＃２の配下にあったサブネットワーク＃２を自己の配下の監視対象に加え、サブネットワーク＃１及びサブネットワーク＃２の監視を行なう。そして、監視装置＃１は自己の運用状態管理テーブル３５ａから該当データ（サブネットワーク＃１，＃２の運用状態情報）を読み出して公衆回線２０を経由して監視装置＃３に定期的に通知する。
実際には、図３の構成において、監視装置＃１は公衆回線＃６８を経由して監視装置＃３に通知する。この通知を受信した監視装置＃３は、監視装置＃１配下のサブネットワーク＃１及びサブネットワーク＃２内の伝送装置２の運用状態を認識することができ、これにより自監視装置配下のサブネットワーク＃３内の伝送装置２の運用状態と併せて、サブネットワーク＃１及びサブネットワーク＃２を含むネットワーク全体の伝送装置２の運用状態を認識することができる。このように、各監視装置７が公衆回線２０を経由して定期的に伝送装置２の運用状態を認識することができる。
【００７６】
また、監視装置＃１は、配下のサブネットワーク＃１及びサブネットワーク＃２内の伝送装置２の運用状態に変化が生じた時点で他監視装置＃３に対して、他監視装置＃３配下のサブネットワーク＃３内の伝送装置２の運用状態情報の問い合わせを公衆回線２０を経由して実施する。
実際には、図３の構成において、監視装置＃１は公衆回線＃６８を経由して監視装置＃３に通知する。この問い合わせを受信した監視装置＃３は、自己の運用状態管理テーブル３５ａから該当データ（サブネットワーク＃３の運用状態情報）を読み出して監視装置＃１に応答する。この応答を受信した監視装置＃１は、他監視装置＃３配下のサブネットワーク＃３内の伝送装置２の運用状態を認識することができ、配下のサブネットワーク内の伝送装置２の運用状態に何らかの変化が発生した時点における、ネットワーク全体の伝送装置の運用状態を認識することができる。このように、各監視装置７が公衆回線２０を経由して伝送装置２の運用状態を通知しあうことにより、あるサブネットワーク内の伝送装置２に何らかの変化が発生した時点における、全ネットワークの伝送装置２の運用状態を認識することができる。
【００７７】
以上、監視装置＃２が動作を停止した場合について説明したが、他の監視装置＃１又は監視装置＃３が動作を停止した場合についても同様である。又、以上では、監視装置が３台の場合について説明したが、本発明はこれに限るものではなく、任意の数の監視装置がネットワークに接続されている場合について同様に適用することができる。更に、各監視装置に接続されているサブネットワーク数及びこれらサブネットワーク内の通信回線の接続状態、監視回線の接続状態及び公衆回線の接続状態も図３に示す構成に限るものではなく、任意であってもよい。
【００７８】
（Ｂ）本発明の第２実施例
（ａ）監視システム
図１８は本発明の監視システムの構成図であり、１はデータ伝送を行なう複数の伝送装置、通信回線を備えたネットワーク、２ａ〜２ｑは伝送装置、３は通信回線、７ａ〜７ｃは監視装置、８ａ〜８ｃは各監視装置７ａ〜７ｃとネットワーク１内の伝送装置２ａ，２ｇ，２ｎ間を接続する通信回線（監視回線）である。監視装置は複数設けられており、それぞれ指定された監視対象範囲内の伝送装置の運用状態を監視すると共に、適宜、監視対象範囲を変更できるようになっている。
【００７９】
図１９〜図２４は監視装置７ａが予め保持するネットワーク監視対象範囲のパターン説明図であり、他の監視装置７ｂ，７ｃも所定の複数の監視対象範囲のパターンを有している。図１９の第１パターンはネットワーク内の全伝送装置を監視対象とするもの、図２０の第２パターンは伝送装置２ａ，２ｄ，２ｇ，２ｊ，２ｎを監視対象とするもの、図２１の第３パターンは伝送装置２ａ，２ｂ，２ｃ，２ｄ，２ｅ，２ｆを監視対象とするもの、図２２の第４パターンは伝送装置２ｇ，２ｈ，２ｉ，２ｊ，２ｋ，２ｍを監視対象とするもの、図２３の第５パターンは伝送装置２ｎ，２ｐ，２ｑを監視対象とするもの、図２４の第６パターンは伝送装置２ｂ，２ｇ，２ｍを監視対象とするものである。
【００８０】
各監視装置７ａ〜７ｃは監視対象範囲に応じた監視画面をディスプレイ装置に表示すると共に、該監視対象範囲内の各伝送装置の運用状態を監視画面上で表示するようになっている。図２５は監視画面例であり、二重丸マーク◎は監視装置、四角マーク□は局装置、丸マーク○は伝送装置を示し、線は伝送路を示し、適所にコメント文字が付される。正常な場合、各部は緑色で表示され、障害が発生すると赤色で表示され、テスト中には紫で表示される。
【００８１】
（ｂ）監視装置
(b-1) 全体の構成
図２６は本発明に係わる監視装置の構成図であり、図５の監視装置と同一部分には同一符号を付している。図中、３１は通信処理部、３２は伝文処理部、３３は定常監視処理部、３５は状態管理部、８１はＨＭＩ部(Human Machine Interface部)、８２は監視画面表示部、８３は監視画面管理部、８８は監視画面情報登録処理部、８９は監視画面データ格納用データベース、９０は監視画面データ運用データベース、９１は監視情報格納用データベースである。
【００８２】
通信処理部３１は通信回線を介して伝送装置との間で伝文の送受信を行い、伝文処理部３２は通信処理部より通知された伝文を解析し、状態管理部３５に伝文を通知し、又、定常監視処理部３３からの運用状態確認伝文ＣＭＤを通信処理部３１に送信依頼し、伝送装置からの状態確認応答伝文ＲＳＰ，状態変化伝文ＲＰＴを定常監視部３３に通知する。定常監視処理部３３は定期的に監視対象である伝送装置に対して運用状態確認伝文ＣＭＤを発行する。状態管理部３５は、▲１▼伝文処理部３２より通知された運用状態確認応答伝文ＲＳＰ及び伝送装置の運用状態変化文ＲＰＴを元に、ネットワーク内各伝送装置の運用状態を管理し、▲２▼その管理情報を監視画面表示部８２及び監視画面管理部８３に通知し、▲３▼又、受信した監視情報を監視情報格納用データベース９１に通知し、▲４▼又、監視画面管理部８３からの指示に基づいて伝送装置に関する監視情報（状態確認応答伝文ＲＳＰ，状態変化伝文ＲＰＴ）を処理し、▲５▼又、監視対象外の伝送装置の運用状態についても監視画面表示部８２に通知する機能を有している。
【００８３】
(b-2) ＨＭＩ処理部
ＨＭＩ処理部８１は、監視画面表示部８２の指示でネットワーク内の各伝送装置の運用状態をＣＲＴに表示し、また、監視範囲外の伝送装置の運用状態についても集約的に表示する。集約的表示とは、図２７に示すように監視画面上の一部エリアＣＤＡに障害発生の装置名リストあるいは運用状態状態等を表示するものである。
（b-3) 監視画面表示部
監視画面表示部８２は、監視画面管理部８３からの指示で監視画面データベース８９から選択した監視画面データ及び状態管理部３５からの監視情報に基づいてネットワーク内の各伝送装置の運用状態表示を行うべくＨＭＩ処理部８１に依頼する。
【００８４】
(b-4) 監視画面管理部
監視画面管理部８３は、監視画面データ格納用データベース８９に登録されている監視画面データの中から、どの監視画面データを選択するかを、▲１▼オペレータによる手動指示により、または、▲２▼予め登録されている障害発生時における監視画面運用情報あるいは時間予約による監視画面運用情報に基づく自動指示によって管理し、又、選択された監視画面データに基づき状態監視対象の伝送装置の装置番号を状態管理部３５に通知する。
【００８５】
(b-5) 監視画面情報登録処理部
監視画面情報登録処理部８８は、ネットワーク監視形態（監視対象範囲）に応じた監視画面データを作成して監視画面データ格納用データベース８９に登録する機能、及び、伝送装置における障害発生情報や時間予約をトリガとして自動的に監視画面データの選択／切換を行うための監視画面運用情報（障害発生時の監視画面運用情報及び時間予約による監視画面運用情報）を監視画面データ運用データベース９０に登録する機能を有している。
【００８６】
(b-6) 監視画面データ格納用データベース
監視画面データ格納用データベース８９は、監視対象のネットワーク形態（監視対象範囲）に応じた様々な監視画面データを格納・保持する。例えば、監視装置７ａの監視対象範囲を図１９〜図２４に示す６種類のパターンで変更できるものとすれば、これら６種類の監視対象範囲に応じた監視画面データが監視画面情報登録処理部８８を介して登録される。図２８は監視画面データの説明図であり、ＭＩＧ１〜ＭＩＧｎは各監視対象範囲（図１９〜図２４）に応じた監視画面データであり、監視画面に表示する局／装置のマーク情報ＭＫ、監視画面に表示する伝送路ライン情報ＬＩＮ、監視画面に表示するコメント情報ＣＭＴで構成されている。局／装置のマーク情報ＭＫは、マーク種別データ、画面上のマーク位置データ（行、桁）、局番号／装置番号データを有している。伝送路ライン情報ＬＩＮは、ライン種別データ、画面上のライン始点位置データ、ライン終点位置データを有している。コメント状態ＣＭＴは、コメント開始位置データ、コメントデータを有している。監視画面データを用いて図２５に示すように監視画面をディスプレイ装置に表示することができる。
【００８７】
(b-7) 監視画面データ運用データベース
監視画面データ運用データベース９０は、伝送装置における障害発生に基づいて監視画面（監視対象範囲）を自動的に変更するための監視画面運用情報と、指定時刻に自動的に監視画面（監視対象範囲）を変更するための監視画面運用情報を記憶する。図２９は監視画面データ運用データベース９０に登録される監視画面運用情報の説明図であり、監視画面（監視対象範囲）毎に、監視画面運用データＭＩＳ１〜ＭＩＳｎを有している。各監視画面運用データＭＩＳ１〜ＭＩＳｎは、▲１▼使用する監視画面データ番号ＭＩＧＮ、▲２▼指定時間帯になると監視画面データ番号ＭＩＧＮが指示する監視画面（監視対象範囲）に切り換えるための時間予約の監視画面運用情報ＴＲＳＩ、▲３▼障害発生により監視画面データ番号ＭＩＧＮが指示する監視画面（監視対象範囲）に切り換えるための障害発生時の監視画面運用情報ＴＧＳＩを有している。監視画面運用情報ＴＲＳＩは指定時間帯の開始時刻データ（年月日時分）と終了時刻データ（年月日時分）を有し、監視画面運用情報ＴＧＳＩは複数の障害発生装置番号を有している。
時間予約の監視画面運用情報ＴＲＳＩが登録されていると、監視装置は指定時間帯になると自動的に監視画面データ番号ＭＩＧＮが指示する監視画面（監視対象範囲）に切り換わる。又、障害発生時の監視画面運用情報ＴＧＳＩが登録されていると、監視装置は該登録されている伝送装置に障害が発生すると自動的に監視画面データ番号ＭＩＧＮが指示する監視画面（監視対象範囲）に切り換わる。
【００８８】
（b-8) 監視情報格納用データベース
監視情報格納用データベース９１は、状態管理部３５から通知された伝送装置の監視情報を格納する。図３０は監視情報の説明図であり、監視情報管理データＭＣＤと、監視情報ＭＤ１〜ＭＤｎを有している。監視情報管理データＭＣＤは、監視情報格納用データベース９１に格納されている監視情報数、最古の監視情報の格納日時と最新の監視情報の格納日時を示すデータを有している。各監視情報ＭＤ１〜ＭＤｎは監視情報種別、監視情報の格納日時、監視情報発生装置、障害発生部位を示す情報や監視情報内容（例えば障害内容）等を含んでいる。
【００８９】
(c) オペレータ操作による監視画面選択表示制御
(c-1) オペレータ操作による第１の監視画面選択制御
図３１はオペレータ操作による第１の監視画面選択制御の処理フローである。
監視画面情報登録処理部８８を介して各種監視対象範囲に応じた監視画面データを監視画面データ格納用データベース８９に登録する（ステップ１０１）。ついで、ＨＭＩ処理部８１のキーボードあるいはマウス等の操作部より表示すべき監視画面、すなわち、監視装置の監視対象範囲を指定する（ステップ１０２）。
これにより、監視画面管理部８３は監視画面表示部８２に対して監視オペレータが指定した監視画面データ番号を入力し、監視画面表示部８２は監視画面データ番号に応じた監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ１０３）。以後、該監視画面の表示を継続し（ステップ１０４）、この状態で、オペレータによる監視画面変更操作があったかチェックし（ステップ１０５）、変更操作が無ければ監視画面表示を継続する。しかし、オペレータにより別の監視画面への変更指示があれば、該指示された監視画面をステップ１０３と同様の処理でディスプレイ装置に表示し（ステップ１０６）、以後、ステップ１０４以降の処理を継続する。
【００９０】
(c-2) オペレータ操作による第２の監視画面選択制御
図３１の監視画面の選択制御では、監視画面のみに着目してその表示制御を説明したが、実際には監視画面上に伝送装置の運用状態を表示する。
図３２は運用状態も同時に表示する場合におけるオペレータ操作による監視画面選択制御の第２の処理フローである。
監視画面情報登録処理部８８を介して各種監視対象範囲に応じた監視画面データを監視画面データ格納用データベース８９に登録する（ステップ１１１）。ついで、ＨＭＩ処理部８１のキーボードあるいはマウス等の操作部より表示すべき監視画面、すなわち、監視装置の監視対象範囲を指定する（ステップ１１２）。これにより、監視画面管理部８３は監視画面表示部８２に対して監視オペレータが指定した監視画面データ番号を入力すると共に、状態管理部３５に監視すべき伝送装置の装置番号を入力する。例えば、図２０の第２パターンに応じた監視画面がオペレータにより指定されると、監視画面管理部８３は該第２パターンの監視画面データ番号を監視画面表示部８２に入力すると共に、伝送装置２ａ，２ｄ，２ｇ，２ｊ，２ｎの装置番号を状態管理部３５に入力する。尚、監視画面管理部８３には、監視画面データ番号と監視対象の伝送装置の対応関係が格納されている。
【００９１】
監視画面表示部８２は監視画面データ番号に応じた監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ１１３）。
ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示する（ステップ１１４）。
以後、該監視画面の表示を継続する（ステップ１１５）。この状態で、オペレータによる監視画面変更操作があったかチェックし（ステップ１１６）、変更操作があれば、ステップ１１３に戻り、変更指示された監視画面の表示を行う。
変更操作がなければ、状態管理部３５は伝送装置より監視情報（レスポンスＲＳＰ、レポートＲＰＴ）を受信したかチェックし（ステップ１１７）、受信してなければステップ１１４以降の監視画面表示が行われる監視情報を受信していれば、監視画面管理部８３から通知されている監視対象伝送装置（伝送装置２ａ，２ｄ，２ｇ，２ｊ，２ｎ）の装置番号を参照して、状態管理部３５は監視情報を送出した伝送装置が監視対象範囲内の伝送装置かチェックする（ステップ１１８）。監視対象範囲外の伝送装置であれば、何もすることなく、該監視情報を廃棄する。以後、ステップ１１４以降の処理により監視画面表示を行う。一方、監視対象範囲の伝送装置からの監視情報であれば、監視情報を分析し、伝送装置の運用状態に変更があるかチェックし（ステップ１１９）、変更がなければステップ１１４以降の処理により監視画面表示を行う。
【００９２】
伝送装置の運用状態に変更があれば、状態管理部３５は該監視情報に基づいて内蔵の運用状態管理テーブル（図６）の内容を更新すると共に、監視情報を監視情報格納用データベース９１に送出して格納する（ステップ１２０，１２１）。
以後、ステップ１１４以降の処理により監視画面表示を行って各伝送装置の最新の運用状態を監視画面に表示する。
以上では、監視範囲外の伝送装置の監視情報を廃棄したが、ステップ１１８の「ＮＯ」における行先をステップ１２１にして（点線参照）、全ての伝送装置からの監視情報を監視情報格納用データベース９１に送出して格納することもできる。
【００９３】
(c-3) オペレータ操作による第３の監視画面選択制御
図３３はオペレータ操作による監視画面選択制御の第３の処理フローであり、監視対象範囲外の伝送装置より障害発生通知があったとき、該監視対象範囲外の伝送装置の運用状態を監視画面上の所定エリア（図２７のＣＤＡ参照）に集約的に表示する場合である。
ステップ１１１〜ステップ１１７までは図３２の処理フローと同一である。ステップ１１７において、監視情報を受信していれば、伝送装置の運用状態に変更があるかチェックし（ステップ１３１）、変更がなければステップ１１４以降の監視画面表示を継続する。
【００９４】
伝送装置の運用状態に変更があれば、該監視情報を解析し内蔵の状態管理テーブル（図６）の内容を更新する（ステップ１３２）。ついで、状態管理部３５は監視情報を送出した伝送装置が監視対象範囲内の伝送装置（伝送装置２ａ，２ｄ，２ｇ，２ｊ，２ｎ）であるか、監視画面管理部８３から通知されている監視対象伝送装置の装置番号を参照してチェックする（ステップ１３３）。監視対象範囲内の伝送装置であれば、監視情報を監視情報格納用データベース９１に送出して格納する（ステップ１３４）。以後、ステップ１１４以降の処理を行って各伝送装置の最新の運用状態を監視画面に表示する。
【００９５】
一方、状態管理部３５は監視情報を送出した伝送装置が監視対象範囲外の伝送装置であれば、監視情報により障害発生が通知されているかチェックし（ステップ１３５）、障害発生通知でなければ、監視情報を監視情報格納用データベース９１に送出して格納し（ステップ１３４）、ステップ１１４以降の処理を行う。しかし、監視情報により障害発生が通知されている場合には、情報管理部３５は監視画面表示部８２に障害発生装置の運用状態を監視画面上の所定エリアに集約表示するよう依頼する。この依頼を受けた監視画面表示部８２は、監視対象範囲の伝送装置２ａ，２ｄ，２ｇ，２ｊ，２ｎの運用状態については監視画面上に表示し、監視対象範囲外の障害発生装置についてはその運用状態を別途表示するようにＨＭＩ処理部８１に依頼する。これにより、ＨＭＩ処理部８１は集約表示エリアに障害発生装置の運用状態を集約表示する（ステップ１３６）。以後、監視情報を監視情報格納用データベース９１に送出して格納し（ステップ１３４）、ステップ１１４以降の処理を行う。
以上のようにすれば、監視対象範囲内の伝送装置の監視画面表示ができると共に、監視対象範囲外の障害発生装置の運用状態を容易に把握することができる。
【００９６】
(c-4) オペレータ操作による第４の監視画面選択制御
図３４はオペレータ操作による監視画面選択制御の第４の処理フローであり、監視対象範囲外の伝送装置より障害発生通知があったとき、ネットワーク全体の監視画面を表示する場合である。
ステップ１１１〜ステップ１１７までは図３２の処理フローと同一である。ステップ１１７において、監視情報を受信していれば、状態管理部３５は伝送装置の運用状態に変更があるかチェックする（ステップ１４１）。変更がなければステップ１１４以降の監視画面表示が継続する。しかし、伝送装置の運用状態に変更があれば、状態管理部３５は監視情報を送出した伝送装置が監視対象範囲内の伝送装置（伝送装置２ａ，２ｄ，２ｇ，２ｊ，２ｎ）であるか、監視画面管理部８３から通知されている監視対象伝送装置の装置番号を参照してチェックする（ステップ１４２）。監視対象範囲内の伝送装置であれば、状態管理部３５は内蔵の状態管理テーブル（図６）の内容を更新すると共に、監視情報を監視情報格納用データベース９１に送出して格納する（ステップ１４３，１４４）。以後、ステップ１１４以降の処理により伝送装置の最新の運用状態が監視画面に表示される。
【００９７】
一方、監視情報を送出した伝送装置が監視対象範囲外の伝送装置であれば、状態管理部３５は監視情報により障害発生が通知されているかチェックし（ステップ１４５）、障害発生通知でなければ、監視情報を監視情報格納用データベース９１に送出して格納する（ステップ１４４）。以後、ステップ１１４以降の処理により監視画面表示を行う。
しかし、監視情報により障害発生が通知されている場合には、状態管理部３５は監視画面管理部８３に対してその旨を通知する。この通知を受けた監視画面管理部８３は、監視画面表示部８２に対してネットワーク全体を監視対象範囲とする第１パターン（図１９）の監視画面データを読み込んで表示するよう指示すると共に、第１パターンの監視対象である伝送装置２ａ〜２ｑの装置番号を状態管理部３５に入力する。
【００９８】
監視画面表示部８２は該指示に基づいて監視画面データ格納データベース８９より第１パターンの監視画面データを読み出してＨＭＩ処理部８１に表示を依頼する。これにより、ＨＭＩ処理部はネットワーク全体の監視画面を表示する（ステップ１４６）。以後、状態管理部３５は監視情報を監視情報格納用データベース９１に格納し（ステップ１４４）、ステップ１１４以降の処理により監視画面表示を行う。すなわち、監視画面表示部８２は状態管理部３５の運用状態管理テーブル（図６参照）より監視対象範囲内の伝送装置２ａ〜２ｑの運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ１１４，１１５）。
以上のようにすれば、監視対象範囲内の伝送装置の監視画面表示をしている時に監視対象範囲外の伝送装置に障害が発生した場合はネットワーク全体の監視画面表示に切り換えるため、障害発生装置を容易に把握することができる。
【００９９】
(d) 障害発生による監視画面選択表示制御
(d-1) 障害発生による第１の監視画面選択制御
図３５は障害発生による第１の監視画面選択制御の処理フローである。
監視画面情報登録処理部８８を介して各種監視対象範囲に応じた監視画面データを監視画面データ格納用データベース８９に登録すると共に、障害発生時の監視画面運用データＭＩＳ1〜ＭＩＳn（図２９参照）を監視画面データ運用データベース９０に登録する（ステップ２０１、２０２）。ついで、ＨＭＩ処理部のキーボードあるいはマウス等の操作部より表示すべき監視画面、すなわち、監視装置の監視対象範囲を指定する（ステップ２０３）。これにより、監視画面管理部８３は監視画面表示部８２に対してオペレータが指定した監視画面データ番号を入力する。例えば、図２０の第２パターンに応じた監視画面がオペレータにより指定されると、監視画面管理部８３は該第２パターンの監視画面データ番号を監視画面表示部８２に入力する。
【０１００】
監視画面表示部８２は監視画面データ番号に応じた監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ２０４）。ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示し（ステップ２０５）、以後、該監視画面の表示を継続する（ステップ２０６）。
【０１０１】
かかる状態で、状態管理部３５は伝送装置より監視情報（レスポンスＲＳＰ、レポートＲＰＴ）を受信したかチェックし（ステップ２０７）、受信してなければステップ２０５以降の監視画面表示が継続する。監視情報を受信していれば、該監視情報により障害発生が通知されているかチェックする（ステップ２０８）。障害発生通知でなければ、ステップ２０５以降の処理により監視画面表示を行う。しかし、障害発生通知であれば、状態管理部３５は監視画面管理部８３に障害発生装置番号を入力する。これにより、監視画面管理部８３は、監視画面データ運用データベース９０の監視画面運用データＭＩＳ１〜ＭＩＳｎに通知された装置番号が含まれているか検索する（ステップ２０９，２１０）。該装置番号を含む監視画面運用データが存在しなければ、ステップ２０５以降の処理により監視画面表示を行う。
【０１０２】
しかし、該装置番号を含む監視画面運用データＭＩＳiが存在すれば、検索された監視画面運用データＭＩＳiに含まれる監視画面データ番号ＭＩＧＮ（図２９）を監視画面表示部８２に入力する。監視画面表示部８２は入力された監視画面データ番号ＭＩＧＮが指示する監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ２１１）。ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示する（ステップ２０５）、以後、該監視画面の表示を継続する（ステップ２０６）。
以上のようにすれば、障害発生時に予め設定してある監視対象範囲（監視画面）に自動的に変更することができる。
【０１０３】
(d-2) 障害発生による第２の監視画面選択制御
図３５の監視画面の選択制御では、主に監視画面に着目してその表示制御を説明したが、実際には監視画面上に伝送装置の運用状態を表示する。
図３６は運用状態も同時に表示する場合における障害発生による監視画面選択制御の第２の処理フローである。
監視画面情報登録処理部８８を介して各種監視対象範囲に応じた監視画面データを監視画面データ格納用データベース８９に登録すると共に、障害発生時の監視画面運用データＭＩＳ1〜ＭＩＳn（図２９参照）を監視画面データ運用データベース９０に登録する（ステップ２５１、２５２）。ついで、ＨＭＩ処理部のキーボードあるいはマウス等の操作部よりオペレータが表示すべき監視画面、すなわち、監視装置の監視対象範囲を指定する（ステップ２５３）。これにより、監視画面管理部８３は監視画面表示部８２に対してオペレータが指定した監視画面データ番号を入力すると共に、状態管理部３５に監視すべき伝送装置の装置番号を入力する。例えば、図２０の第２パターンに応じた監視画面がオペレータにより指定されると、監視画面管理部８３は該第２パターンの監視画面データ番号を監視画面表示部８２に入力すると共に、伝送装置２ａ，２ｄ，２ｇ，２ｊ，２ｎの装置番号を状態管理部３５に入力する。
【０１０４】
監視画面表示部８２は監視画面データ番号に応じた監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ２５４）。ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示し（ステップ２５５）、以後、該監視画面の表示を継続する（ステップ２５６）。
【０１０５】
かかる状態で、状態管理部３５は伝送装置より監視情報（レスポンスＲＳＰ、レポートＲＰＴ）を受信したかチェックし（ステップ２５７）、受信してなければステップ２５５以降の監視画面表示が継続する。監視情報を受信していれば、監視画面管理部８３から通知されている監視対象の伝送装置番号（伝送装置２ａ，２ｄ，２ｇ，２ｊ，２ｎ）を参照して、状態管理部３５は監視情報を送出した伝送装置が監視対象範囲内の伝送装置であるかチェックする（ステップ２５８）。監視対象範囲外の伝送装置であれば、何もすることなく、該監視情報を廃棄する。以後、ステップ２５５以降の処理により監視画面表示を行う。一方、監視対象範囲の伝送装置からの監視情報であれば、監視情報を分析し、伝送装置の運用状態に変更があるかチェックし（ステップ２５９）、変更がなければステップ２５５以降の処理により監視画面表示を行う。
【０１０６】
伝送装置の運用状態に変更があれば、状態管理部３５は該監視情報に基づいて内蔵の状態管理テーブル（図６）の内容を更新すると共に、監視情報を監視情報格納用データベース９１に送出して格納する（ステップ２６０）。ついで、監視情報により障害発生が通知されているかチェックする（ステップ２６１）。障害発生通知でなければ、ステップ２５５以降の処理により監視画面表示を行う。しかし、障害発生通知であれば、状態管理部３５は監視画面管理部８３に障害発生装置番号を入力する。監視画面管理部８３は、監視画面データ運用データベース９０に記憶されている監視画面運用データＭＩＳ１〜ＭＩＳｎに通知された装置番号が含まれているか検索する（ステップ２６２，２６３）。該装置番号を含む監視画面運用データが存在しなければ、ステップ２５５以降の処理により監視画面表示を行う。
【０１０７】
しかし、該装置番号を含む監視画面運用データＭＩＳiが存在すれば、監視画面管理部８３は検索した監視画面運用データＭＩＳiに含まれる監視画面データ番号ＭＩＧＮ（図２９）を監視画面表示部８２に入力すると共に、該監視画面データ番号に応じた伝送装置（監視対象範囲内の伝送装置）の装置番号を状態管理部３５に入力する。
監視画面表示部８２は入力された監視画面データ番号ＭＩＧＮが指示する監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ２６４）。ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ２５５，２５６）。
【０１０８】
以上では、監視範囲外の伝送装置の監視情報を廃棄したが、ステップ２５８の「ＮＯ」における行先を点線で示すステップ２６５にして、全ての監視情報を監視情報格納用データベース９１に格納することもできる。このように、データベース９１に全伝送装置の監視情報が記憶されている場合には、監視対象範囲が変更したとき、状態管理部３５は新たな監視対象範囲内の伝送装置の運用状態をデータベース９１より直ちに読み込んで内蔵の状態管理テーブルにセットでき、最新の運用状態を迅速に表示することができる。
【０１０９】
(c-3) 障害発生による第３の監視画面選択制御
図３７は障害発生による監視画面選択制御の第３の処理フローであり、監視対象範囲外の伝送装置より障害発生通知があったとき、該監視対象範囲外の伝送装置の運用状態を監視画面上の所定エリア（図２７のＣＤＡ参照）に集約的に表示する場合である。
ステップ２５１〜ステップ２５７までは図３６の処理フローと同一である。ステップ２５７において、監視情報を受信していれば、伝送装置の運用状態に変更があるかチェックし（ステップ２７１）、変更がなければステップ２５５以降の監視画面表示が継続する。伝送装置の運用状態に変更があれば、該監視情報を解析し内蔵の状態管理テーブル（図６）の内容を更新すると共に、監視情報を監視情報格納用データベース９１に格納する（ステップ２７２）。ついで、状態管理部３５は監視情報を送出した伝送装置が監視対象範囲内の伝送装置（伝送装置２ａ，２ｄ，２ｇ，２ｊ，２ｎ）であるか、監視画面管理部８３から通知されている監視対象伝送装置の装置番号を参照してチェックする（ステップ２７３）。
【０１１０】
監視対象範囲内の伝送装置であれば、監視情報により障害発生が通知されているかチェックする（ステップ２７４）。障害発生通知でなければ、ステップ２５５以降の処理により監視画面表示を行う。しかし、障害発生通知であれば、状態管理部３５は監視画面管理部８３に障害発生装置番号を入力する。監視画面管理部８３は、監視画面データ運用データベース９０の監視画面運用データＭＩＳ１〜ＭＩＳｎに通知された装置番号が含まれているか検索する（ステップ２７４，２７５）。該装置番号を含む監視画面運用データが存在しなければ、ステップ２５５以降の処理により監視画面表示を行う。
しかし、該装置番号を含む監視画面運用データＭＩＳiが存在すれば、監視画面管理部８３は検索した監視画面運用データＭＩＳiに含まれる監視画面データ番号ＭＩＧＮ（図２９）を監視画面表示部８２に入力すると共に、該監視画面データ番号に応じた伝送装置（監視対象範囲内の伝送装置）の装置番号を状態管理部３５に入力する。
【０１１１】
監視画面表示部８２は入力された監視画面データ番号ＭＩＧＮが指示する監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ２７７）。ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ２５５，２５６）。
一方、ステップ２７３において、監視情報を送出した伝送装置が監視対象範囲外の伝送装置であれば、状態管理部３５は監視情報により障害発生が通知されているかチェックし（ステップ２７８）、障害発生通知でなければ、監視情報を監視情報格納用データベース９１に送出して格納する（ステップ２７９）。以後、ステップ２５５以降の処理により監視画面表示を行う。
【０１１２】
しかし、監視情報により監視対象範囲外の伝送装置の障害発生が通知されている場合、状態管理部３５は監視画面表示部８２に集約表示（障害発生装置の運用状態を監視画面情報の所定エリアに表示）するよう依頼する。この依頼を受けた監視画面表示部８２は、監視対象範囲内の伝送装置２ａ，２ｄ，２ｇ，２ｊ，２ｎの運用状態については監視画面上に表示し、監視対象範囲外の障害発生装置についてはその運用状態を別途表示するようにＨＭＩ処理部８１に依頼する。これにより、ＨＭＩ処理部８１は集約表示エリアに障害発生装置の運用状態を集約表示する（ステップ２８０）。以後、監視情報を監視情報格納用データベース９１に送出して格納し（ステップ２７９）、ステップ２５５以降の処理により監視画面表示を行う。
以上のようにすれば、監視対象範囲内の伝送装置の監視画面表示ができると共に、監視対象範囲外の障害発生装置の運用状態を容易に把握することができる。
【０１１３】
(d-4) 障害発生による第４の監視画面選択制御
図３８は障害発生による監視画面選択制御の第４の処理フローであり、監視対象範囲外の伝送装置より障害発生通知があったとき、ネットワーク全体の監視画面を表示する場合である。
ステップ２５１〜ステップ２５７までは図３６の処理フローと同一である。ステップ２５７において、監視状情報を受信していれば、状態管理部３５は伝送装置の運用状態に変更があるかチェックする（ステップ３０１）。変更がなければステップ２５５以降の監視画面表示が継続する。しかし、伝送装置の運用状態に変更があれば、状態管理部３５は監視情報を送出した伝送装置が監視対象範囲内の伝送装置（伝送装置２ａ，２ｄ，２ｇ，２ｊ，２ｎ）であるか、監視画面管理部８３から通知されている監視対象伝送装置の装置番号を参照してチェックする（ステップ３０２）。監視対象範囲内の伝送装置であれば、状態管理部３５は内蔵の状態管理テーブル（図６）の内容を更新すると共に、監視情報を監視情報格納用データベース９１に送出して格納する（ステップ３０３）。
【０１１４】
ついで、監視情報により障害発生が通知されているかチェックする（ステップ３０４）。障害発生通知でなければ、ステップ２５５以降の処理により監視画面表示を行う。しかし、障害発生通知であれば、状態管理部３５は監視画面管理部８３に障害発生装置番号を入力する。監視画面管理部８３は、監視画面データ運用データベース９０の監視画面運用データＭＩＳ１〜ＭＩＳｎに通知された装置番号が含まれているか検索する（ステップ３０５，３０６）。該装置番号を含む監視画面運用データが存在しなければ、ステップ２５５以降により監視画面の表示が継続する。
しかし、該装置番号を含む監視画面運用データＭＩＳiが存在すれば、監視画面管理部８３は検索した監視画面運用データＭＩＳiに含まれる監視画面データ番号ＭＩＧＮ（図２９）を監視画面表示部８２に入力すると共に、該監視画面データ番号に応じた伝送装置（監視対象範囲内の伝送装置）の装置番号を状態管理部３５に入力する。例えば、監視画面データ番号ＭＩＧＮが図２１の第３パターンに応じた監視画面を示していれば、監視画面管理部８３は該第３パターンの監視画面データ番号を監視画面表示部８２に入力すると共に、伝送装置２ａ〜２ｆの装置番号を状態管理部３５に入力する。
【０１１５】
監視画面表示部８２は入力された監視画面データ番号ＭＩＧＮが指示する監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ３０７）。ついで、監視画面表示部８２は状態管理部３５の運用状態管理テーブル（図６参照）より監視対象範囲内の伝送装置２ａ〜２ｆの運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ２５５，２５６）。
一方、ステップ３０２において、監視情報を送出した伝送装置が監視対象範囲外の伝送装置であれば、状態管理部３５は監視情報により障害発生が通知されているかチェックし（ステップ３０８）、障害発生通知でなければ、監視情報を監視情報格納用データベース９１に送出して格納し（ステップ３０９）、以後、ステップ２５５以降の処理により監視画面表示を行う。
【０１１６】
しかし、監視情報により監視対象範囲外の伝送装置の障害発生が通知されている場合には、状態管理部３５は監視画面管理部８３に対してその旨を通知する。この通知を受けた監視画面管理部８３は、監視画面表示部８２に対してネットワーク全体を監視対象範囲とする第１パターン（図１９）の監視画面データを読み込んで表示するよう指示すると共に、第１パターンの監視対象範囲の全伝送装置２ａ〜２ｑの装置番号を状態管理部３５に入力する。
監視画面表示部８２は該指示に基づいて監視画面データ格納データベース８９より第１パターンの監視画面データを読み込み、該監視画面データをＨＭＩ処理部８１に渡して表示を依頼する。これにより、ＨＭＩ処理部はネットワーク全体の監視画面を表示する（ステップ３１０）。
【０１１７】
以後、状態管理部３５は監視情報を監視情報格納用データベース９１に格納し（ステップ３０９）、ステップ２５５以降の処理により監視画面表示を行う。すなわち、監視画面表示部８２は状態管理部３５の運用状態管理テーブル（図６参照）より監視対象範囲内の伝送装置２ａ〜２ｑの運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ２５５，２５６）。
以上のようにすれば、監視対象範囲内の伝送装置の監視画面表示ができると共に、監視対象範囲外の伝送装置に障害が発生した場合はネットワーク全体の監視画面表示に切り換えるため、障害発生装置を容易に把握することができる。
【０１１８】
(e) 時間予約による監視画面選択表示制御
(e-1) 時間予約による第１の監視画面選択制御
図３９は時間予約による第１の監視画面選択制御の処理フローである。
監視画面情報登録処理部８８を介して各種監視対象範囲に応じた監視画面データを監視画面データ格納用データベース８９に登録すると共に、時間予約の監視画面運用データＭＩＳ1〜ＭＩＳn（図２９参照）を監視画面データ運用データベース９０に登録する（ステップ４０１，４０２）。尚、時間予約の監視画面運用データＭＩＳ1〜ＭＩＳnは、監視画面データ番号ＭＩＧＮと、該監視画面データ番号ＭＩＧＮが指示する監視画面の表示時間帯情報（表示開始日時及び表示終了日時）ＴＲＳＩを含んでいる。
ついで、ＨＭＩ処理部のキーボードあるいはマウス等の操作部より表示すべき監視画面、すなわち、監視装置の監視対象範囲を指定する（ステップ４０３）。これにより、監視画面管理部８３は監視画面表示部８２に対してオペレータが指定した監視画面データ番号を入力する。例えば、図２０の第２パターンに応じた監視画面がオペレータにより指定されると、監視画面管理部８３は該第２パターンの監視画面データ番号を監視画面表示部８２に入力する。
【０１１９】
監視画面表示部８２は監視画面データ番号に応じた監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ４０４）。ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示し（ステップ４０５）、以後、該監視画面の表示を継続する（ステップ４０６）。
【０１２０】
かかる状態で、監視画面管理部８３は時刻管理を行い、前記時間予約の監視画面運用データＭＩＳ1〜ＭＩＳnを参照して現在表示中の監視画面と別の監視画面の表示時刻になったか監視する（ステップ４０７）。別の監視画面の表示時刻でなければ、換言すれば、監視画面表示変更時刻でなければ、ステップ４０５以降の処理により監視画面表示を行う。しかし、別の監視画面表示時刻になれば、該別の監視画面の監視画面データ番号ＭＩＧＮ（図２９）を監視画面表示部８２に入力する。監視画面表示部８２は入力された監視画面データ番号ＭＩＧＮが指示する監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ４０８）。ついで、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示する（ステップ４０５）、以後、該監視画面の表示を継続する（ステップ４０６）。
以上のようにすれば、予め指定した時間帯になると自動的に監視対象範囲（監視画面）を切替て表示するから、監視オペレータは順次所定監視対象範囲内の伝送装置の運用状態を把握することができる。
【０１２１】
(e-2) 時間予約による第２の監視画面選択制御
図３９の監視画面の選択制御では、主に監視画面に着目してその表示制御を説明したが、実際には監視画面上に伝送装置の運用状態を表示する。
図４０は運用状態も同時に表示する場合におけるオペレータ操作による監視画面選択制御の第２の処理フローである。
監視画面情報登録処理部８８を介して各種監視対象範囲に応じた監視画面データを監視画面データ格納用データベース８９に登録すると共に、時間予約の監視画面運用データＭＩＳ1〜ＭＩＳn（図２９参照）を監視画面データ運用データベース９０に登録する（ステップ４０１，４０２）。
【０１２２】
ついで、ＨＭＩ処理部のキーボードあるいはマウス等の操作部より表示すべき監視画面、すなわち、監視装置の監視対象範囲を指定する（ステップ４０３）。
これにより、監視画面管理部８３は監視画面表示部８２に対してオペレータが指定した監視画面データ番号を入力すると共に、状態管理部３５に監視すべき伝送装置の装置番号を入力する。例えば、図２０の第２パターンに応じた監視画面がオペレータにより指定されると、監視画面管理部８３は該第２パターンの監視画面番号を監視画面表示部８２に入力すると共に、伝送装置２ａ，２ｄ，２ｇ，２ｊ，２ｎの装置番号を状態管理部３５に入力する。
【０１２３】
監視画面表示部８２は監視画面データ番号に応じた監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ４０４）。ついで、監視画面表示部８２は状態管理部３５の運用状態管理テーブル（図６参照）より監視対象範囲内の伝送装置２ａ，２ｄ，２ｇ，２ｊ，２ｎの運用状態を取り込み、該運用状態情報をＨＭＩ処理部８１に渡してその表示を依頼する。これにより、ＨＭＩ処理部８１は監視画面上に各伝送装置、伝送路の運用状態を表示し（ステップ４０５）、以後、該監視画面の表示を継続する（ステップ４０６）。
【０１２４】
かかる状態で、監視画面管理部８３は時刻管理を行い、前記時間予約の監視画面運用データＭＩＳ1〜ＭＩＳnを参照して現在表示中の監視画面と別の監視画面の表示時刻になったか監視する（ステップ４０７）。別の監視画面の表示時刻でなければ、換言すれば、監視画面表示変更時刻でなければ、ステップ４０９以降の処理を行う。しかし、別の監視画面表示時刻になれば、監視画面管理部８３は該別の監視画面の監視画面データ番号ＭＩＧＮ（図２９）を監視画面表示部８２に入力すると共に、状態管理部３５に監視すべき伝送装置の装置番号を入力する。例えば、図２１の第３パターンに応じた監視画面が表示される場合には、監視画面管理部８３は該第３パターンの監視画面番号を監視画面表示部８２に入力すると共に、伝送装置２ａ〜２ｆの装置番号を状態管理部３５に入力する。
監視画面表示部８２は入力された監視画面データ番号ＭＩＧＮが指示する監視画面データを監視画面データ格納用データベース８９より読み取ってＨＭＩ処理部８１に渡して監視画面の表示を依頼する。ＨＭＩ処理部８１は該監視画面データに基づいて監視画面を表示する（ステップ４０８）。
【０１２５】
ついで、状態管理部３５は伝送装置より監視情報（レスポンスＲＳＰ、レポートＲＰＴ）を受信したかチェックし（ステップ４０９）、受信してなければステップ４０５以降の監視画面表示が継続する。監視情報を受信していれば、状態管理部３５は、監視画面管理部８３から通知されている監視対象伝送装置（表示変更前は伝送装置２ａ，２ｄ，２ｇ，２ｊ，２ｎ：表示変更後は伝送装置２ａ〜２ｆ）の装置番号を参照して、監視情報を送出した伝送装置が監視対象範囲内の伝送装置であるかチェックする（ステップ４１０）。監視対象範囲外の伝送装置であれば、何もすることなく、該監視情報を廃棄する。以後、ステップ４０５以降の処理により監視画面表示を行う。一方、監視対象範囲の伝送装置からの監視情報であれば、監視情報を分析し、伝送装置の運用状態に変更があるかチェックし（ステップ４１１）、変更がなければステップ４０５以降の処理により監視画面表示を行う。
【０１２６】
伝送装置の運用状態に変更があれば、状態管理部３５は該監視情報に基づいて内蔵の状態管理テーブル（図６）の内容を更新すると共に、監視情報を監視情報格納用データベース９１に送出して格納する（ステップ４１２）。
以後、ステップ４０５以降の処理により監視画面表示を行う。すなわち、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示する（ステップ４０５）、以後、該監視画面の表示を継続する（ステップ４０６）。
以上では、監視範囲外の伝送装置の監視状態を廃棄したが、ステップ４１０の「ＮＯ」における行先を点線で示すステップ４１３にして、全ての監視情報を監視情報格納用データベース９１に格納することもできる。このように、データベース９１に全伝送装置の監視情報を記憶した場合には、監視対象範囲が変更したとき、状態管理部は新たな監視対象範囲内の伝送装置の運用状態をデータベース９１より直ちに読み込んで内蔵の状態管理テーブルにセットでき、最新の運用状態を迅速に表示することができる。
【０１２７】
(e-3) 時間予約による第３の監視画面選択制御
図４１は時間予約による監視画面選択制御の第３の処理フローであり、監視対象範囲外の伝送装置より障害発生通知があったとき、該監視対象範囲外の伝送装置の運用状態を監視画面上の所定エリア（図２７のＣＤＡ参照）に集約的に表示する場合である。
ステップ４０１〜ステップ４０９までは図４０の処理フローと同一である。ステップ４０９において、監視状情報を受信していれば、伝送装置の運用状態に変更があるかチェックし（ステップ４２１）、変更がなければステップ４０５以降の監視画面表示処理が行われる。伝送装置の運用状態に変更があれば、状態管理部３５は監視情報を送出した伝送装置が監視対象範囲内の伝送装置であるか、監視画面管理部８３から通知されている監視対象伝送装置の装置番号を参照してチェックする（ステップ４２２）。監視対象範囲内の伝送装置であれば、該監視情報を解析し内蔵の状態管理テーブル（図６）の内容を更新すると共に、監視情報を監視情報格納用データベース９１に格納する（ステップ４２３）。
以後、ステップ４０５以降の処理により監視画面表示を行う。すなわち、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ４０５，４０６）。
【０１２８】
一方、ステップ４２２において、監視情報が監視対象範囲外の伝送装置からのものであれば、状態管理部３５は監視情報により障害発生が通知されているかチェックし（ステップ４２４）、障害発生通知でなければ、監視情報を監視情報格納用データベース９１に送出して格納する（ステップ４２５）。以後、ステップ４０５以降の処理により監視画面表示を行う。
【０１２９】
しかし、監視情報により監視対象範囲外の伝送装置の障害発生が通知されている場合、状態管理部３５は監視画面表示部８２に集約表示（障害発生装置の運用状態を監視画面情報の所定エリアに表示）するよう依頼する。この依頼を受けた監視画面表示部８２は、監視対象範囲の伝送装置の運用状態については監視画面上に表示し、監視対象範囲外の障害発生装置についてはその運用状態を別途表示するようにＨＭＩ処理部８１に依頼する。これにより、ＨＭＩ処理部８１は集約表示エリアに障害発生装置の運用状態を集約表示する（ステップ４２６）。以後、監視情報を監視情報格納用データベース９１に送出して格納し（ステップ４２５）、ステップ４０５以降の処理により監視画面表示を行う。
以上のようにすれば、時間予約により所望の監視対象範囲内の伝送装置の監視画面表示ができると共に、監視対象範囲外の障害発生装置の運用状態を容易に把握することができる。
【０１３０】
(e-4) 時間予約による第４の監視画面選択制御
図４２は時間予約による監視画面選択制御の第４の処理フローであり、監視対象範囲外の伝送装置より障害発生通知があったとき、ネットワーク全体の監視画面を表示する場合である。
ステップ４０１〜ステップ４０９までは図４０の処理フローと同一である。ステップ４０９において、監視状情報を受信していれば、伝送装置の運用状態に変更があるかチェックし（ステップ４５１）、変更がなければステップ４０５以降の監視画面表示処理が行われる。
【０１３１】
一方、伝送装置の運用状態に変更があれば、状態管理部３５は監視情報を送出した伝送装置が監視対象範囲内の伝送装置であるか、監視画面管理部８３から通知されている監視対象伝送装置の装置番号を参照してチェックする（ステップ４５２）。監視対象範囲内の伝送装置であれば、該監視情報を解析し内蔵の状態管理テーブル（図６）の内容を更新すると共に、監視情報を監視情報格納用データベース９１に格納する（ステップ４５３）。以後、ステップ４０５以降の処理により監視画面表示を行う。すなわち、監視画面表示部８２は状態管理部３５の運用状態管理テーブル（図６参照）より監視対象範囲内の伝送装置の運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ４０５，４０６）。
【０１３２】
一方、ステップ４５２において、監視情報が監視対象範囲外の伝送装置からのものであれば、状態管理部３５は監視情報により障害発生が通知されているかチェックし（ステップ４５４）、障害発生通知でなければ、監視情報を監視情報格納用データベース９１に送出して格納し（ステップ４５５）、以後、ステップ４０５以降の処理により監視画面表示を行う。
【０１３３】
しかし、ステップ４５４において、監視情報により監視対象範囲外の伝送装置の障害発生が通知されている場合、状態管理部３５は監視画面管理部８３に対してその旨を通知する。この通知を受けた監視画面管理部８３は、監視画面表示部８２に対してネットワーク全体を監視対象範囲とする第１パターン（図１９）の監視画面データを読み込んで表示するよう指示すると共に、第１パターンの監視対象範囲の全伝送装置２ａ〜２ｑの装置番号を状態管理部３５に入力する。
監視画面表示部８２は該指示に基づいて監視画面データ格納データベース８９より第１パターンの監視画面データを読み込み、該監視画面データをＨＭＩ処理部に渡して表示を依頼する。これにより、ＨＭＩ処理部はネットワーク全体の監視画面を表示する（ステップ４５６）。
【０１３４】
以後、状態管理部３５は監視情報を監視情報格納用データベース９１に格納し（ステップ４５５）、ステップ４０５以降の処理により監視画面表示を行う。すなわち、監視画面表示部８２は状態管理部３５の運用状態管理テーブル（図６参照）より監視対象範囲内の伝送装置２ａ〜２ｑの運用状態を取り込み、該運用状態情報をＨＭＩ処理部８１に渡してその表示を依頼する。これにより、ＨＭＩ処理部８１は監視画面上に各伝送装置、伝送路の運用状態を表示し、以後、該監視画面の表示を継続する（ステップ４０５，４０６）。
以上のようにすれば、時間予約による監視対象範囲内の伝送装置の監視画面表示ができると共に、監視対象範囲外の伝送装置に障害が発生した場合はネットワーク全体の監視画面表示に切り換えるため、障害発生装置を容易に把握することができる。
以上、本発明を実施例により説明したが、本発明は請求の範囲に記載した本発明の主旨に従い種々の変形が可能であり、本発明はこれらを排除するものではない。
【０１３９】
【発明の効果】
本発明によれば、予め各監視装置に複数の監視対象範囲に応じた監視画面データを登録したから、オペレータ操作で簡単に監視対象範囲を変更でき、しかも、該監視対象範囲内の伝送装置の運用状態を表示して監視することができ、監視システムの運用効率を向上することができる。この場合、監視対象範囲外の伝送装置に障害が発生した場合、該障害発生装置の運用状態を監視画面上の一部エリアに集約表示するようにしたから、監視対象範囲内の伝送装置の監視を行いつつ、監視対象範囲外の障害発生伝送装置の運用状態を把握することができる。
【０１４０】
又、本発明によれば、予め各監視装置に複数の監視対象範囲に応じた監視画面データを登録すると共に障害発生時の監視画面運用情報を登録しておき、所定の伝送装置に障害が発生したとき、該障害発生装置に基づいて監視画面（監視対象範囲）を変更するようにしたから、障害発生に対処でき、監視システムの運用効率を向上することができる。この場合、監視対象範囲外の伝送装置に障害が発生した場合、該障害発生装置の運用状態を監視画面上の一部エリアに集約表示するようにしたから、監視対象範囲内の伝送装置の監視を行いつつ、監視対象範囲外の障害発生伝送装置の運用状態を把握することができる。
【０１４１】
更に、本発明によれば、予め各監視装置に複数の監視対象範囲に応じた監視画面データを登録すると共に時間予約の監視画面運用情報を登録しておき、所定の時間帯なったとき、該予め登録してある監視画面（監視対象範囲）に変更するようにしたから、時間帯（日時）により自動的に監視対象範囲を切り替えて表示することができ、監視オペレータは何らの操作無くして所定時間帯になると所望の監視対象範囲内の伝送装置の運用状態を監視することができる。この場合、監視対象範囲外の伝送装置に障害が発生した場合、該障害発生装置の運用状態を監視画面上の一部エリアに集約表示するようにしたから、監視対象範囲内の伝送装置の監視を行いつつ、監視対象範囲外の障害発生伝送装置の運用状態を把握することができる。
【図面の簡単な説明】
【図１】本発明の第１の原理説明図である。
【図２】本発明の第２の原理説明図である。
【図３】システムの全体の構成図である。
【図４】伝送装置の接続構成図である。
【図５】監視装置の構成図である。
【図６】運用状態管理テーブルの構成図である。
【図７】各種伝文フォーマットの説明図である。
【図８】伝送装置の要部構成図である。
【図９】本発明の第１動作説明図である。
【図１０】本発明の第２動作説明図である。
【図１１】本発明の第３動作説明図である。
【図１２】本発明の第４動作説明図である。
【図１３】本発明の第５動作説明図である。
【図１４】本発明の第６動作説明図である。
【図１５】本発明の第７動作説明図である。
【図１６】本発明の第８動作説明図である。
【図１７】本発明の第９動作説明図である。
【図１８】本発明の監視システムの構成図である。
【図１９】監視対象範囲の説明図（第１パターン）である。
【図２０】監視対象範囲の説明図（第２パターン）である。
【図２１】監視対象範囲の説明図（第３パターン）である。
【図２２】監視対象範囲の説明図（第４パターン）である。
【図２３】監視対象範囲の説明図（第５パターン）である。
【図２４】監視対象範囲の説明図（第６パターン）である。
【図２５】監視画面説明図である。
【図２６】本発明の監視装置の構成図である。
【図２７】集約表示説明図である。
【図２８】監視画面データ説明図である。
【図２９】監視画面運用データ説明図である。
【図３０】監視情報データ説明図である。
【図３１】オペレータ操作による第１の監視画面の選択表示制御のフロー図である。
【図３２】オペレータ操作による第２の監視画面の選択表示制御のフロー図である。
【図３３】オペレータ操作による第３の監視画面の選択表示制御のフロー図である。
【図３４】オペレータ操作による第４の監視画面の選択表示制御のフロー図である。
【図３５】障害発生による第１の監視画面の選択表示制御のフロー図である。
【図３６】障害発生による第２の監視画面の選択表示制御のフロー図である。
【図３７】障害発生による第３の監視画面の選択表示制御のフロー図である。
【図３８】障害発生による第４の監視画面の選択表示制御のフロー図である。
【図３９】時間予約による第１の監視画面の選択表示制御のフロー図である。
【図４０】時間予約による第２の監視画面の選択表示制御のフロー図である。
【図４１】時間予約による第３の監視画面の選択表示制御のフロー図である。
【図４２】時間予約による第４の監視画面の選択表示制御のフロー図である。
【図４３】従来システムの説明図である。
【図４４】従来システムの他の説明図である。
【符号の説明】
１  ネットワーク
２，２ａ〜２ｎ・・伝送装置
３，３ａ〜３ｎ・・通信回線
７，７ａ〜７ｎ・・監視装置
８ａ〜８ｎ・・監視回線
２０ａ〜２０ｎ・・公衆回線
【図１】
0003841366.tif 000002
【図２】
0003841366.tif 000003
【図３】
0003841366.tif 000004
【図４】
0003841366.tif 000005
【図５】
0003841366.tif 000006
【図６】
0003841366.tif 000007
【図７】
0003841366.tif 000008
【図８】
0003841366.tif 000009
【図９】
0003841366.tif 000010
【図１０】
0003841366.tif 000011
【図１１】
0003841366.tif 000012
【図１２】
0003841366.tif 000013
【図１３】
0003841366.tif 000014
【図１４】
0003841366.tif 000015
【図１５】
0003841366.tif 000016
【図１６】
0003841366.tif 000017
【図１７】
0003841366.tif 000018
【図１８】
0003841366.tif 000019
【図１９】
0003841366.tif 000020
【図２０】
0003841366.tif 000021
【図２１】
0003841366.tif 000022
【図２２】
0003841366.tif 000023
【図２３】
0003841366.tif 000024
【図２４】
0003841366.tif 000025
【図２５】
0003841366.tif 000026
【図２６】
0003841366.tif 000027
【図２７】
0003841366.tif 000028
【図２８】
0003841366.tif 000029
【図２９】
0003841366.tif 000030
【図３０】
0003841366.tif 000031
【図３１】
0003841366.tif 000032
【図３２】
0003841366.tif 000033
【図３３】
0003841366.tif 000034
【図３４】
0003841366.tif 000035
【図３５】
0003841366.tif 000036
【図３６】
0003841366.tif 000037
【図３７】
0003841366.tif 000038
【図３８】
0003841366.tif 000039
【図３９】
0003841366.tif 000040
【図４０】
0003841366.tif 000041
【図４１】
0003841366.tif 000042
【図４２】
0003841366.tif 000043
【図４３】
0003841366.tif 000044
【図４４】
0003841366.tif 000045